(57)【要約】【課題】監視領域にいる人に対して自動体外式除細動器の状態を報知することができると共に、設置スペースのコンパクト化を図ることが可能になる、火災報知システムを提供すること。【解決手段】火災報知システムは、火災を報知する火災信号を送信する発信機３０と、除細動を行うＡＥＤ４０と、ＡＥＤ４０の状態を判定する検知部５２及び判定部５５ａと、火災の報知を示す第１出力情報を出力する表示灯６１とを備え、発信機３０は、火災信号の送信指示を受け付ける非常ボタン３１ａを備え、非常ボタン３１ａを介して火災信号の送信指示が受け付けられた場合に、第１出力情報を表示灯６１に出力させ、検知部５２及び判定部５５ａの判定結果に基づいて、ＡＥＤ４０の状態を示す第２出力情報を、第１出力情報と識別可能に表示灯６１に出力させる。【選択図】図３
2016151968.tif 000002
【特許請求の範囲】
【請求項１】
監視領域における火災を検知して警報を行う火災報知システムであって、
火災を報知する火災信号を送信する発信機と、
除細動を行う自動体外式除細動器と、
前記自動体外式除細動器の状態を判定する判定手段と、
火災の報知を示す第１出力情報を出力する出力手段と、を備え、
前記発信機は、
前記火災信号の送信指示を受け付ける操作手段を備え、
前記操作手段を介して前記火災信号の送信指示が受け付けられた場合に、前記第１出力情報を前記出力手段に出力させ、
前記判定手段の判定結果に基づいて、前記自動体外式除細動器の状態を示す第２出力情報を、前記第１出力情報と識別可能に前記出力手段に出力させる、
火災報知システム。
【請求項２】
前記自動体外式除細動器の状態として、当該自動体外式除細動器の使用状態を含み、
前記判定手段によって前記自動体外式除細動器が使用状態であると判定された場合に、当該自動体外式除細動器が使用状態である旨を示す前記第２出力情報を前記出力手段に出力させる、
請求項１に記載の火災報知システム。
【請求項３】
前記自動体外式除細動器の状態として、当該自動体外式除細動器の故障状態を含み、
前記判定手段によって前記自動体外式除細動器が故障状態であると判定された場合に、当該自動体外式除細動器が故障状態である旨を示す前記第２出力情報を前記出力手段に出力させる、
請求項１又は２に記載の火災報知システム。
【請求項４】
前記自動体外式除細動器の状態として、当該自動体外式除細動器の使用を必要とする使用必要状態を含み、
前記判定手段によって前記自動体外式除細動器が使用必要状態であると判定された場合に、当該自動体外式除細動器が使用必要状態である旨を示す前記第２出力情報を前記出力手段に出力させる、
請求項１から３のいずれか一項に記載の火災報知システム。
【請求項５】
前記出力手段として、前記第１出力情報を表示する表示手段を備え、
前記操作手段を介して前記火災信号の送信指示が受け付けられた場合に、前記第１出力情報を前記表示手段に表示させ、
前記判定手段の判定結果に基づいて、前記第２出力情報を、前記第１出力情報とは異なる態様で前記表示手段に表示させる、
請求項１から４のいずれか一項に記載の火災報知システム。
【請求項６】
前記出力手段として、前記第１出力情報を警報音で出力する警報音出力手段を備え、
前記操作手段を介して前記火災信号の送信指示が受け付けられた場合に、前記第１出力情報を前記警報音出力手段に出力させ、
前記判定手段の判定結果に基づいて、前記第２出力情報を、前記第１出力情報とは異なる態様で前記警報音出力手段に出力させる、
請求項１から５のいずれか一項に記載の火災報知システム。
【請求項７】
前記第２出力情報の出力停止の指示を受け付ける出力停止操作手段を備え、
前記出力停止操作手段を介して前記第２出力情報の出力停止の指示が受け付けられた場合に、前記出力手段による当該第２出力情報の出力を停止させる、
請求項１から６のいずれか一項に記載の火災報知システム。
【請求項８】
前記監視領域内に設けられた筐体の内部に、前記発信機と前記自動体外式除細動器とを一体に収容した、
請求項１から７のいずれか一項に記載の火災報知システム。
【発明の詳細な説明】
【技術分野】
【０００１】
本発明は、火災報知システムに関する。
【背景技術】
【０００２】
従来、各種の建物には、心臓が正常に拍動できなくなった状態となった人に対して、電気ショックにより心臓を正常なリズムに戻すこと（いわゆる除細動）を行うための自動体外式除細動器（以下、「ＡＥＤ」と称する）が設置されている。このＡＥＤは、様々な態様で建物に設置されており、例えば、建物内に設けられた専用の収納箱に収容されている（例えば、特許文献１参照）。
【先行技術文献】
【特許文献】
【０００３】
【特許文献１】特開２０１０−１９４０３０号公報
【発明の概要】
【発明が解決しようとする課題】
【０００４】
ここで、ＡＥＤを使用したり、又は管理する上で、ＡＥＤの状態に応じて様々な措置が講じられる。例えば、心臓が正常に拍動できなくなった状態となった人に対して救命活動を行うために、ＡＥＤが使用されている状態では、ＡＥＤの使用者以外の第三者（例えば、ＡＥＤの使用者から離れた場所にいる防災センター要員等）が、当該救命活動のサポートを行う等の措置が講じられる。よって、このような措置を迅速に行うために、建物にいる人に対してＡＥＤの状態を報知できる技術が望まれている。しかしながら、上記従来の技術においては、収納箱がＡＥＤを単に収容するものに過ぎず、ＡＥＤの状態を報知することができなかった。よって、建物にいる人が、ＡＥＤの状態を把握できなかったため、ＡＥＤの状態に応じた必要な措置を迅速に取りづらくなるという問題が生じていた。
【０００５】
一方、このような問題を解決するためには、収納箱に、ＡＥＤの状態を出力する出力手段を設けることが考えられる。しかしながら、上記出力手段を設けるためのスペースを確保する必要があることから、設置スペースのコンパクト化を図ることが難しくなるという問題があった。
【０００６】
本発明は、上記に鑑みてなされたものであって、建物の監視領域にいる人に対して自動体外式除細動器の状態を報知することができると共に、設置スペースのコンパクト化を図ることが可能になる、火災報知システムを提供することを目的とする。
【課題を解決するための手段】
【０００７】
上述した課題を解決し、目的を達成するために、請求項１に記載の火災報知システムは、監視領域における火災を検知して警報を行う火災報知システムであって、火災を報知する火災信号を送信する発信機と、除細動を行う自動体外式除細動器と、前記自動体外式除細動器の状態を判定する判定手段と、火災の報知を示す第１出力情報を出力する出力手段と、を備え、前記発信機は、前記火災信号の送信指示を受け付ける操作手段を備え、前記操作手段を介して前記火災信号の送信指示が受け付けられた場合に、前記第１出力情報を前記出力手段に出力させ、前記判定手段の判定結果に基づいて、前記自動体外式除細動器の状態を示す第２出力情報を、前記第１出力情報と識別可能に前記出力手段に出力させる。
【０００８】
請求項２に記載の火災報知システムは、請求項１に記載の火災報知システムにおいて、前記自動体外式除細動器の状態として、当該自動体外式除細動器の使用状態を含み、前記判定手段によって前記自動体外式除細動器が使用状態であると判定された場合に、当該自動体外式除細動器が使用状態である旨を示す前記第２出力情報を前記出力手段に出力させる。
【０００９】
請求項３に記載の火災報知システムは、請求項１又は２に記載の火災報知システムにおいて、前記自動体外式除細動器の状態として、当該自動体外式除細動器の故障状態を含み、前記判定手段によって前記自動体外式除細動器が故障状態であると判定された場合に、当該自動体外式除細動器が故障状態である旨を示す前記第２出力情報を前記出力手段に出力させる。
【００１０】
請求項４に記載の火災報知システムは、請求項１から３のいずれか一項に記載の火災報知システムにおいて、前記自動体外式除細動器の状態として、当該自動体外式除細動器の使用を必要とする使用必要状態を含み、前記判定手段によって前記自動体外式除細動器が使用必要状態であると判定された場合に、当該自動体外式除細動器が使用必要状態である旨を示す前記第２出力情報を前記出力手段に出力させる。
【００１１】
請求項５に記載の火災報知システムは、請求項１から４のいずれか一項に記載の火災報知システムにおいて、前記出力手段として、前記第１出力情報を表示する表示手段を備え、前記操作手段を介して前記火災信号の送信指示が受け付けられた場合に、前記第１出力情報を前記表示手段に表示させ、前記判定手段の判定結果に基づいて、前記第２出力情報を、前記第１出力情報とは異なる態様で前記表示手段に表示させる。
【００１２】
請求項６に記載の火災報知システムは、請求項１から５のいずれか一項に記載の火災報知システムにおいて、前記出力手段として、前記第１出力情報を警報音で出力する警報音出力手段を備え、前記操作手段を介して前記火災信号の送信指示が受け付けられた場合に、前記第１出力情報を前記警報音出力手段に出力させ、前記判定手段の判定結果に基づいて、前記第２出力情報を、前記第１出力情報とは異なる態様で前記警報音出力手段に出力させる。
【００１３】
請求項７に記載の火災報知システムは、請求項１から６のいずれか一項に記載の火災報知システムにおいて、前記第２出力情報の出力停止の指示を受け付ける出力停止操作手段を備え、前記出力停止操作手段を介して前記第２出力情報の出力停止の指示が受け付けられた場合に、前記出力手段による当該第２出力情報の出力を停止させる。
【００１４】
請求項８に記載の火災報知システムは、請求項１から７のいずれか一項に記載の火災報知システムにおいて、前記監視領域内に設けられた筐体の内部に、前記発信機と前記自動体外式除細動器とを一体に収容した。
【発明の効果】
【００１５】
請求項１に記載の火災報知システムによれば、操作手段を介して火災信号の送信指示が受け付けられた場合に、第１出力情報を出力手段に出力させ、判定手段の判定結果に基づいて、当該自動体外式除細動器の状態を示す第２出力情報を、第１出力情報と識別可能に出力手段に出力させるので、監視領域にいる人に対して第１出力情報と第２出力情報とを識別可能に提示（すなわち、報知）できる。よって、監視領域にいる人が、自動体外式除細動器の状態を把握でき、従来技術に比べて自動体外式除細動器の状態に応じた必要な措置を迅速に取ることが可能となる。また、出力手段のみによって、第１出力情報及び第２出力情報を出力するので、例えば、第１出力情報のみを出力する出力手段と、第２出力情報のみを出力する出力手段とをそれぞれに設けた場合に比べて、設置スペースを小さくすることができるため、設置スペースのコンパクト化を図ることが可能となる。
【００１６】
請求項２に記載の火災報知システムによれば、判定手段によって自動体外式除細動器が使用状態であると判定された場合に、当該自動体外式除細動器が使用状態である旨を示す第２出力情報を出力手段に出力させるので、監視領域にいる人が、自動体外式除細動器が使用状態であることを把握できる。よって、心臓が正常に拍動できなくなった状態となった人に対して救命活動を行うために、自動体外式除細動器が使用されている場合に、この自動体外式除細動器の使用者が、当該使用者以外の第三者からの救命活動のサポートを迅速に受けやすくなる。
【００１７】
請求項３に記載の火災報知システムによれば、判定手段によって自動体外式除細動器が故障状態であると判定された場合に、当該自動体外式除細動器が故障状態である旨を示す第２出力情報を出力手段に出力させるので、監視領域にいる人が、自動体外式除細動器が故障状態であることを把握でき、自動体外式除細動器の点検や修理等を迅速に行うことが可能となる。
【００１８】
請求項４に記載の火災報知システムによれば、判定手段によって自動体外式除細動器が使用必要状態であると判定された場合に、当該自動体外式除細動器が使用必要状態である旨を示す第２出力情報を出力手段に出力させるので、監視領域にいる人が、自動体外式除細動器が使用必要状態であることを把握でき、自動体外式除細動器の使用を迅速に開始することが可能となる。
【００１９】
請求項５に記載の火災報知システムによれば、操作手段を介して火災信号の送信指示が受け付けられた場合に、第１出力情報を表示手段に表示させ、判定手段の判定結果に基づいて、第２出力情報を、第１出力情報とは異なる態様で表示手段に表示させるので、表示手段によって、第１出力情報及び第２出力情報を容易に区別可能に提示できるため、監視領域にいる人に対して第１出力情報又は第２出力情報を容易且つ確実に伝えることが可能となる。
【００２０】
請求項６に記載の火災報知システムによれば、操作手段を介して火災信号の送信指示が受け付けられた場合に、第１出力情報を警報音出力手段に出力させ、判定手段の判定結果に基づいて、第２出力情報を、第１出力情報とは異なる態様で警報音出力手段に出力させるので、監視領域にいる人に対して、第１出力情報及び第２出力情報を聴覚を通じて区別可能に提示できる。よって、監視領域にいる人が、出力手段を視認することができない位置にいる場合、又は、出力手段を視認することができるものの、出力手段に表示される情報を視認することが難しい場合であっても、第１出力情報又は第２出力情報を迅速に伝えることが可能となる。
【００２１】
請求項７に記載の火災報知システムによれば、出力停止操作手段を介して第２出力情報の出力停止の指示が受け付けられた場合に、出力手段による当該第２出力情報の出力を停止させるので、火災報知システムの管理者等が自動体外式除細動器の点検を行う場合に、第２出力情報が出力手段によって出力されることを回避できるため、自動体外式除細動器が使用されていないにも関わらず、第２出力情報が誤って出力されることを防止できる。
【００２２】
請求項８に記載の火災報知システムによれば、監視領域内に設けられた筐体の内部に、発信機と自動体外式除細動器とを一体に収容したので、発信機及び自動体外式除細動器を１つの装置として集約することができるため、発信機と自動体外式除細動器とを別体に設けた場合に比べて、設置スペース、設置コスト、及び設置作業の手間を低減することが可能となる。また、自動体外式除細動器を従来技術よりも目立つ位置に設置できるので、有事の際の利便性（例えば、自動体外式除細動器を迅速に見つけることができる等）を向上させることが可能となる。
【図面の簡単な説明】
【００２３】
【図１】本発明の実施の形態１に係る火災報知システムの構成を示す概略図である。
【図２】複合報知装置の正面図である。
【図３】複合報知装置の電気的構成を示したブロック図である。
【図４】ＡＥＤの電気的構成を示したブロック図である。
【図５】発信機に関する火災報知処理のフローチャートである。
【図６】表示装置又は音響装置に関する火災報知処理のフローチャートである。
【図７】検知装置に関する使用状態報知処理のフローチャートである。
【図８】表示装置又は音響装置に関する使用状態報知処理のフローチャートである。
【図９】検知装置に関する故障状態報知処理のフローチャートである。
【図１０】表示装置又は音響装置に関する故障状態報知処理のフローチャートである。
【図１１】検知装置に関する使用必要状態報知処理のフローチャートである。
【図１２】表示装置又は音響装置に関する使用必要状態報知処理のフローチャートである。
【図１３】実施の形態２に係る火災報知システムの構成を示す概略図である。
【図１４】複合報知装置及び検知装置の電気的構成を示したブロック図である。
【発明を実施するための形態】
【００２４】
以下に添付図面を参照して、この発明に係る火災報知システムの実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２５】
〔I〕実施の形態の基本的概念
まずは、実施の形態の基本的概念について説明する。実施の形態は、概略的に、監視領域における火災を検知して警報を行う火災報知システムに関するものである。この火災報知システムの制御方式は任意であり、例えば、ポーリング／セレクティング方式によって感知器等の端末機器と受信機との相互間で応答制御を行う方式（いわゆるＲ型方式）と、受信機の回線毎に信号線が引き出され、この回線に接続された端末機器の接点の開閉に基づいて受信機が端末機器からの発報を受ける方式（いわゆるＰ型方式）とを含む。なお、実施の形態に係る火災報知システムの設置対象や適用対象は任意であり、例えば、集合住宅、オフィスビル、あるいは商業施設（以下、単に「建物」と称する）に適用することができる。以下、実施の形態では、火災報知システムが、建物に適用されたＲ型方式のシステムである場合について説明する。
【００２６】
〔II〕実施の形態の具体的内容
次に、実施の形態の具体的内容について説明する。
【００２７】
〔実施の形態１〕
まず、実施の形態１に係る火災報知システムについて説明する。この実施の形態１は、監視領域内に設けられた筐体に、発信機とＡＥＤとを一体に収容した形態である。
【００２８】
（構成）
まず、実施の形態１に係る火災報知システムの構成について説明する。図１は、本発明の実施の形態１に係る火災報知システムの構成を示す概略図である。この図１に示すように、火災報知システム１は、感知器１０と、複合報知装置２０と、受信機８０と、通報装置９０とを備えて構成されている。また、感知器１０は、建物の天井や壁に配置されていると共に、複合報知装置２０及び受信機８０は、建物の壁に配置されている。このうち、感知器１０及び複合報知装置２０は、法定の設置間隔を満たすように、各階毎に１台又は複数台が配置されている。また、受信機８０及び通報装置９０は、それぞれ建物に１台配置されており、例えば建物の管理人室に設置されている。
【００２９】
また、これら装置の接続形態については、以下に示す通りに設定されている。具体的には、各装置が共通の信号線で接続される方式（いわゆるＲ型方式）が採用されているので、感知器１０、後述する発信機３０、後述するＡＥＤ４０、後述する検知装置５０、及び通報装置９０の各々が、第１配線２を介して受信機８０と接続されている。また、後述する表示装置６０が、第２配線３を介して受信機８０と接続されていると共に、後述する音響装置７０が、第３配線４を介して受信機８０と接続されている。このような接続により、感知器１０、後述する発信機３０、後述するＡＥＤ４０、後述する検知装置５０、後述する表示装置６０、後述する音響装置７０、及び通報装置９０の各々から受信機８０に対して信号を出力することができると共に、受信機８０から感知器１０、後述する発信機３０、後述するＡＥＤ４０、後述する検知装置５０、後述する表示装置６０、後述する音響装置７０、及び通報装置９０の各々に向けて電力を供給することができる（すなわち、第１配線２、第２配線３、及び第３配線４の各々は、信号線として機能すると共に、電源線としても機能する）。
【００３０】
（構成−感知器）
次に、感知器１０の構成について説明する。感知器１０は、火災を報知する火災信号、又は火災からの復旧を報知する火災復旧信号を送信する有線式の火災報知端末である。この感知器１０は、センサ部、通信部、電源部、及び、制御部を備えて構成されている（いずれも図示省略）。なお、この感知器１０は、例えば公知の有線式感知器等によって構成することができるので、その詳細な説明は省略する。
【００３１】
センサ部は、温度や煙濃度等を検知するための検知手段である。通信部は、第１配線２を介して受信機８０との間で通信する通信手段である。制御部は、感知器１０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（なお、後述する発信機３０の制御部３４、後述するＡＥＤ４０の制御部４９、後述する検知装置５０の制御部５５、後述する表示装置６０の制御部６３、後述する音響装置７０の制御部７３、後述する受信機８０の制御部、及び後述する通報装置９０の制御部についても同様とする）。
【００３２】
（構成−複合報知装置）
次に、複合報知装置２０の構成について説明する。図２は、複合報知装置２０の正面図である。図３は、複合報知装置２０の電気的構成を示したブロック図である。なお、図３に示す後述するＡＥＤ４０の電気的構成については、後述する図４に別途示す（なお、後述する図１４に示すＡＥＤ４０の電気的構成についても同様とする）。複合報知装置２０は、火災を報知するための機器と人を治療するための機器とを組み合わせた装置である。図２、図３に示すように、この複合報知装置２０は、建物内（すなわち監視領域内）に設けられた筐体２１の内部において、発信機３０と、ＡＥＤ４０と、検知装置５０と、表示装置６０と、音響装置７０とを一体に収容して構成されている。また、この複合報知装置２０を構成する装置の接続形態については任意であるが、実施の形態１においては、検知装置５０と、表示装置６０及び音響装置７０の各々とが、第４配線５を介して接続されていると共に、ＡＥＤ４０と検知装置５０とが、無線通信可能に接続されている。このような接続により、検知装置５０と表示装置６０及び音響装置７０の各々との相互間で通信を行うことができると共に、ＡＥＤ４０と検知装置５０との相互間で通信を行うことができる。
【００３３】
（構成−複合報知装置−筐体）
筐体２１は、複合報知装置２０の基本構造体であり、発信機３０と、ＡＥＤ４０と、検知装置５０と、表示装置６０と、音響装置７０とを外部から保護する保護手段である。この筐体２１は、例えば金属材料等にて形成された略箱状体である。具体的には、この筐体２１は、一側面（例えば、前面等）を開放した略箱形状のベース部２２ａであって、発信機３０、ＡＥＤ４０、検知装置５０、表示装置６０、及び音響装置７０を収容するベース部２２ａと、このベース部２２ａの上方部分をその開放面側から略覆う上部正面パネル部２２ｂと、このベース部２２ａの下方部分をその開放面側から略覆う下部正面パネル部２２ｃとを備えて構成されており、上部正面パネル部２２ｂ及び下部正面パネル部２２ｃはベース部２２ａに対して嵌合構造や固定具等にて固定されている（あるいは、上部正面パネル部２２ｂ及び下部正面パネル部２２ｃはベース部２２ａに対して一体に形成されてもよい）。
【００３４】
ここで、このベース部２２ａにおいては、当該ベース部２２ａの上方において、発信機３０、検知装置５０、表示装置６０、及び音響装置７０の各々を構成する各部が固定されていると共に、当該ベース部２２ａの下方において、ＡＥＤ４０を構成する各部が固定されている。また、発信機３０、検知装置５０、ＡＥＤ４０、表示装置６０、又は音響装置７０に接続された第１配線２、第２配線３、及び第３配線４が、ベース部２２ａに形成された開口部（図示省略）を介して筐体２１の外部に引き出されている。
【００３５】
また、上部正面パネル部２２ｂには、後述する発信機３０の非常ボタン３１ａを操作するための第１操作口２３ａと、後述する発信機３０の復旧ボタン３１ｂの一部を外部に露出するための第２操作口２３ｂと、後述する音響装置７０の非常ベル７１から出力された音を、当該筐体２１の外部に放出するための音響孔２３ｃと、後述する表示装置６０の表示灯６１の光を外部に向けて導光するための導光孔２３ｄとが形成されている。また、下部正面パネル部２２ｃには、後述するＡＥＤ４０のＡＥＤ本体部４１を筐体２１内から取り出すための開閉自在な扉部２３ｅが設けられている。また、この扉部２３ｅには、外部からＡＥＤ本体部４１を視認することができるように、透明な樹脂材料にて形成された扉窓部２３ｆが設けられている。
【００３６】
（構成−複合報知装置−発信機）
次に、発信機３０の構成について説明する。発信機３０は、火災信号、火災復旧信号等を送信する有線式の火災報知端末である。図３に示すように、この発信機３０は、操作部３１、通信部３２、確認表示灯３３、制御部３４、及び記憶部３５を備えて構成されている。なお、この発信機３０は、例えば公知の有線式発信機等によって構成することができるので、その詳細な説明は省略する。
【００３７】
操作部３１は、発信機３０に対する操作入力を受け付けるものであり、非常ボタン３１ａと、復旧ボタン３１ｂとを備えている。このうち、非常ボタン３１ａは、火災信号の送信指示を受け付ける操作手段であり、第１操作口２３ａを介して筐体２１の外部に露出されるように配置されている。また、復旧ボタン３１ｂは、非常ボタン３１ａを介して火災信号の送信指示が受け付けられた場合に、機械的操作によって非常ボタン３１ａの状態を火災信号の送信指示を受け付ける前の状態に復旧させるボタンであり、第２操作口２３ｂを介して筐体２１の外部に露出されるように配置されている。
【００３８】
通信部３２は、受信機８０との間で第１配線２を介して通信を行うための通信手段である。
【００３９】
確認表示灯３３は、非常ボタン３１ａが押された旨を表示するものである。この確認表示灯３３は、例えば、公知のＬＥＤランプ、蛍光ランプ等を用いて構成されており、筐体２１の内部において、筐体２１の外部から当該確認表示灯３３を視認できる位置（例えば、筐体２１の第１操作口２３ａ近傍の位置等）に配置されている。
【００４０】
制御部３４は、発信機３０の各部を制御する制御手段である。なお、この制御部３４によって実行される処理の詳細については後述する。
【００４１】
記憶部３５は、発信機３０の動作に必要なプログラム及び各種のデータを記憶する記憶手段である。この記憶部３５は、書き換え可能な記録媒体を用いて構成され、例えばフラッシュメモリ等の不揮発性記録媒体を用いることができる（なお、後述するＡＥＤ４０の記憶部４０１、後述する検知装置５０の記憶部５６、後述する受信機８０の記憶部、及び後述する通報装置９０の記憶部についても同様とする）。
【００４２】
（構成−複合報知装置−ＡＥＤ）
次に、ＡＥＤ４０の構成について説明する。図４は、ＡＥＤ４０の電気的構成を示したブロック図である。ＡＥＤ４０は、上述した除細動を行う医療機器である。図４に示すように、ＡＥＤ４０は、ＡＥＤ本体部４１の内部において、操作部４２（少なくとも一部が露出）、検知部４３、通信部４４、無線通信部４５、電源部４６、表示部４７（少なくとも一部が露出）、撮像部４８、制御部４９、及び記憶部４０１を備えて構成されている。なお、このＡＥＤ４０は、例えば公知のＡＥＤ等によって構成することができるので、その詳細な説明は省略する。
【００４３】
ＡＥＤ本体部４１は、ＡＥＤ４０の基本構造体であり、例えば、公知のＡＥＤの本体部分（具体的には、心臓が正常に拍動できなくなった状態となった人に対して電気ショックを与えるための電極パッドや、当該人の健康状態を計測するための各種センサ（例えば心拍センサ、血圧センサ等）等）と同様に構成されている。また、このＡＥＤ本体部４１には、表示部４７の光を外部に向けて導光するための導光孔（図示省略）が設けられている。
【００４４】
操作部４２は、ＡＥＤ４０に対する操作入力を受け付ける操作手段であり、例えばスイッチやタッチパネル等の公知の操作手段を用いて構成されている（なお、後述する受信機８０の操作部、及び後述する通報装置９０の操作部についても同様とする）。
【００４５】
検知部４３は、ＡＥＤ４０の状態を検知するための検知手段である。ここで、「ＡＥＤ４０の状態」とは、ある時点におけるＡＥＤ４０の有り様を意味し、例えば、ＡＥＤ４０の使用状態、ＡＥＤ４０の故障状態、ＡＥＤ４０の使用が必要とされている使用必要状態とを含む概念である。この検知部４３は、上述した３つのＡＥＤ４０の状態のうち、ＡＥＤ４０の故障状態を検知するものであり、例えば、ＡＥＤ４０の異常（具体的には、電源異常や機能異常等）の有無を検知するための公知の電流センサを用いて構成されている。
【００４６】
通信部４４は、受信機８０との間で第１配線２を介して通信を行うための通信手段である。
【００４７】
無線通信部４５は、図示しない無線アンテナを介して検知装置５０との間で無線にて通信を行うための無線通信手段であり、例えば、公知の移動体無線通信網を用いて通信を行う公知の通信手段等を用いて構成されている（なお、後述する検知装置５０の無線通信部５４についても同様とする）。なお、このＡＥＤ４０に対しては、ＡＥＤ４０と検知装置５０との相互間で通信可能にするために、これらＡＥＤ４０と検知装置５０との相互間における通信を確立する処理（すなわち、ペアリング処理）が後述する火災報知処理及び後述する使用状態報知処理が行われる前に行われる。
【００４８】
電源部４６は、受信機８０又は電池から供給された電力を、ＡＥＤ４０の各部に供給する電源手段である。
【００４９】
表示部４７は、制御部４９の制御に基づいて各種の情報を表示するものであり、例えば、公知のＬＥＤランプや、公知の液晶ディスプレイの如きフラットパネルディスプレイ等を用いて構成されている（なお、後述する受信機８０の表示部についても同様とする）。
【００５０】
撮像部４８は、ＡＥＤ４０の周囲の画像を撮像し、当該撮像した画像を電気信号（すなわち、画像信号）に変換する撮像手段であり、例えばＣＭＯＳイメージセンサやＣＣＤイメージセンサ等の公知の撮像素子、及びレンズやプリズム等の公知の光学系部品を用いて構成されている。
【００５１】
制御部４９は、ＡＥＤ４０の各部を制御する制御手段である。
【００５２】
記憶部４０１は、ＡＥＤ４０の動作に必要なプログラム及び各種のデータを記憶する記憶手段である。
【００５３】
（構成−複合報知装置−検知装置）
次に、検知装置５０の構成について説明する。検知装置５０は、ＡＥＤ４０の状態を検知する装置である。この検知装置５０は、操作部５１、検知部５２、通信部５３、無線通信部５４、制御部５５、及び記憶部５６を備えて構成されている。
【００５４】
操作部５１は、検知装置５０に対する操作入力を受け付けるものであり、出力停止ボタン５１ａを備えている。ここで、出力停止ボタン５１ａは、後述する第２出力情報の出力停止の指示を受け付ける出力停止操作手段であり、筐体２１の内部（例えば、筐体２１の扉部２３ｅ近傍位置等）に配置されている。
【００５５】
検知部５２は、ＡＥＤ４０の状態を検知するための検知手段である。この検知部５２は、上述した３つのＡＥＤ４０の状態のうち、ＡＥＤ４０の使用状態を検知するものであり、例えば、筐体２１の扉部２３ｅの状態を検知する公知の開閉センサ（具体的には、リミットスイッチ、磁気センサ、赤外線センサ等）を用いて構成されている。
【００５６】
通信部５３は、受信機８０との間で第１配線２を介して通信を行うと共に、表示装置６０及び音響装置７０の各々と第４配線５を介して通信を行うための通信手段である。
【００５７】
無線通信部５４は、図示しない無線アンテナを介してＡＥＤ４０との間で無線にて通信を行うための無線通信手段である。
【００５８】
制御部５５は、検知装置５０の各部を制御する制御手段であり、機能概念的に、判定部５５ａと、画像処理部５５ｂとを備えている。ここで、判定部５５ａは、ＡＥＤ４０の状態を判定するものである。画像処理部５５ｂは、上述した３つのＡＥＤ４０の状態のうち、ＡＥＤ４０の使用必要状態を検知するために、ＡＥＤ４０の撮像部４８にて撮像された画像を処理する画像処理手段である。なお、上述した「ＡＥＤ４０の検知部４３」と、「検知部５２」と、「判定部５５ａ」と、「画像処理部５５ｂ」とは、特許請求の範囲における「判定手段」に対応する。また、この制御部５５によって実行される処理の詳細については後述する。
【００５９】
記憶部５６は、検知装置５０の動作に必要なプログラム及び各種のデータを記憶する記憶手段である。
【００６０】
（構成−複合報知装置−表示装置）
次に、表示装置６０の構成について説明する。表示装置６０は、後述する第１出力情報を表示する装置である。この表示装置は、表示灯６１、通信部６２、及び制御部６３を備えて構成されている。
【００６１】
表示灯６１は、後述する第１出力情報を表示する出力手段であり、例えば公知のＬＥＤランプ、蛍光ランプ等を用いて構成される。
【００６２】
通信部６２は、受信機８０との間で第２配線３を介して通信を行うと共に、検知装置５０との間で第４配線５を介して通信を行うための通信手段である。
【００６３】
制御部６３は、表示装置６０の各部を制御する制御手段である。なお、この制御部６３によって実行される処理の詳細については後述する。
【００６４】
（構成−複合報知装置−音響装置）
次に、音響装置７０の構成について説明する。音響装置７０は、後述する第１出力情報を警報音で出力する装置である。この音響装置７０は、非常ベル７１、通信部７２、及び制御部７３を備えて構成されている。
【００６５】
非常ベル７１は、後述する第１出力情報をベル音（すなわち、警報音）で出力する警報音出力手段であり、例えば、公知のベル等を用いて構成されている。
【００６６】
通信部７２は、受信機８０との間で第３配線４を介して通信を行うと共に、検知装置５０との間で第４配線５を介して通信を行うための通信手段である。
【００６７】
制御部７３は、音響装置７０の各部を制御する制御手段である。なお、この制御部７３によって実行される処理の詳細については後述する。
【００６８】
（構成−受信機）
次に、受信機８０の構成について説明する。受信機８０は、感知器１０、発信機３０、検知装置５０、表示装置６０、音響装置７０、又は通報装置９０から受信された信号に基づいて所定処理を行うものである。この受信機８０は、操作部、通信部、表示部、電力供給部、制御部、及び記憶部を備えて構成されている（いずれも図示省略）。なお、この受信機８０は、例えば公知の受信機等によって構成することができるので、その詳細な説明は省略する。
【００６９】
操作部は、受信機８０に対する操作入力を受け付ける操作手段である。通信部は、感知器１０、発信機３０、ＡＥＤ４０、検知装置５０、表示装置６０、音響装置７０、又は通報装置９０との間で第１配線２、第２配線３、第３配線４のいずれか１つを介して通信を行うための通信手段である。表示部は、制御部の制御に基づいて各種の情報を表示するものである。電力供給部は、第１配線２、第２配線３、第３配線４のいずれか１つを介して商用電源から供給された電力を受信機８０の各部、感知器１０、発信機３０、ＡＥＤ４０、検知装置５０、表示装置６０、音響装置７０、及び通報装置９０に供給するための電力供給手段である。制御部は、受信機８０の各部を制御する制御手段である。記憶部は、受信機８０の動作に必要なプログラム及び各種のデータを記憶する記憶手段である。
【００７０】
（構成−通報装置）
次に、通報装置９０の構成について説明する。通報装置９０は、受信機８０から受信された場合に、所定信号（例えば、後述する第１出力情報又は後述する第２出力情報に関連する音声情報を含む信号等）を電話回線（図示省略）を介して外部装置（例えば、センタ装置や携帯電話等）に通報するためのものである。この通報装置９０は、操作部、通信部、制御部、及び記憶部を備えて構成されている（いずれも図示省略）。なお、この通報装置９０は、例えば公知の通報装置等によって構成することができるので、その詳細な説明は省略する。
【００７１】
操作部は、通報装置９０に対する操作入力を受け付ける操作手段である。通信部は、火災報知システム１の外部に設置された外部装置の間で通信を行うための通信手段である。制御部は、通報装置９０の各部を制御する制御手段である。記憶部は、通報装置９０の動作に必要なプログラム及び各種のデータを記憶する記憶手段である。
【００７２】
（処理）
次に、このように構成された火災報知システム１によって実行される処理について説明する。この火災報知システム１によって実行される処理は、火災報知処理と、使用状態報知処理と、故障状態報知処理と、使用必要状態報知処理とに大別される。以下、火災報知処理と、使用状態報知処理と、故障状態報知処理と、使用必要状態報知処理とのそれぞれについて説明する。
【００７３】
（処理−火災報知処理）
まず、火災報知処理について説明する。図５は、発信機３０に関する火災報知処理のフローチャートである（以下の各処理の説明ではステップを「Ｓ」と略記する）。図６は、表示装置６０又は音響装置７０に関する火災報知処理のフローチャートである。火災報知処理は、火災の報知を行う処理である。この火災報知処理においては、概略的には、後述する第１出力情報を表示装置６０の表示灯６１又は音響装置７０の非常ベル７１に出力させる処理が行われる。また、この火災報知処理を実行するタイミングは任意であるが、実施の形態１では、発信機３０、表示装置６０、音響装置７０、及び受信機８０に電源が投入された後に起動されるものとして説明する。また、この火災報知処理の前提としては、以下に示す通りとなる（なお、使用状態報知処理の前提、故障状態報知処理の前提、及び使用必要状態報知処理の前提についても同様とする）。具体的には、通常時において発信機３０の位置を案内するために、表示装置６０の表示灯６１が点灯表示されているので、この表示灯６１が点灯表示されているものとする。また、通常時において発信機３０の確認表示灯３３や音響装置７０の非常ベル７１は出力停止されているので、これら確認表示灯３３及び非常ベル７１が出力停止されているものとする。
【００７４】
火災報知処理が起動されると、図５に示すように、ＳＡ１において、建物に設置された各発信機３０（以下、「各発信機３０」と称する）の制御部３４は、操作部３１の非常ボタン３１ａを介して火災信号の送信指示が受け付けられたか否かを判定する。例えば、建物で火災が発生した場合に、建物にいる人（例えば、住居者や訪問者等）によって非常ボタン３１ａが押圧されると、上記火災信号の送信指示が受け付けられたと判定する。そして、各発信機３０の制御部３４は、非常ボタン３１ａを介して火災信号の送信指示が受け付けられるまで待機し（ＳＡ１、Ｎｏ）、非常ボタン３１ａを介して火災信号の送信指示が受け付けられると（ＳＡ１、Ｙｅｓ）、ＳＡ２に移行する。
【００７５】
ＳＡ２において、ＳＡ１にて火災信号の送信指示が受け付けられたと判定された発信機３０の制御部３４は、建物にいる人のうち、非常ボタン３１ａの操作者以外の第三者に対して火災を報知するために、第１出力情報出力要求信号を生成し、当該生成した第１出力情報出力要求信号を通信部３２、第１配線２、受信機８０、及び第２配線３（又は第３配線４）を介して建物に設置された各表示装置６０及び各音響装置７０（以下、「各表示装置６０」及び「各音響装置７０」と称する）に送信する。ここで、「第１出力情報出力要求信号」とは、表示装置６０又は音響装置７０による後述する第１出力情報の出力を要求する旨を示す情報を含む信号であり、所定のフォーマットで生成される。また、これと併せて、この発信機３０の制御部３４は、非常ボタン３１ａが押された旨を報知するために、確認表示灯３３を点灯表示させる。
【００７６】
次に、図６に示すように、ＳＢ１において各表示装置６０の制御部６３（又は各音響装置７０の制御部７３）は、ＳＡ１にて火災信号の送信指示が受け付けられたと判定された発信機３０から送信された第１出力情報出力要求信号を第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、上記第１出力情報出力要求信号が受信されるまで待機し（ＳＢ１、Ｎｏ）、上記第１出力情報出力要求信号が受信された場合に（ＳＢ１、Ｙｅｓ）、ＳＢ２に移行する。
【００７７】
ＳＢ２において各表示装置６０の制御部６３（又は各音響装置７０の制御部７３）は、表示灯６１（又は非常ベル７１）によって、第１出力情報を出力させる。ここで、「第１出力情報」とは、火災の警報を示す情報を意味する。また、この第１出力情報の出力については任意であるが、実施の形態１においては、表示灯６１が通常時の表示と同様に点灯表示すると共に、非常ベル７１が「ジリジリ」というベル音を連続的に出力する。
【００７８】
図５に戻り、ＳＡ３において、ＳＡ２にて第１出力情報出力要求信号が送信された発信機３０の制御部３４は、非常ボタン３１ａが火災信号の送信指示を受け付ける前の状態に復旧されたか否かを判定する。例えば、建物で発生した火災が消火された後に、建物にいる人又は受信機８０の管理者によって操作部３１の復旧ボタン３１ｂが押圧されると、非常ボタン３１ａが火災信号の送信指示を受け付ける前の状態に復旧されたと判定する。ここで、この発信機３０の制御部３４は、非常ボタン３１ａが火災信号の送信指示を受け付ける前の状態に復旧されていないと判定された場合（ＳＡ３、Ｎｏ）、非常ボタン３１ａが火災信号の送信指示を受け付ける前の状態に復旧されたと判定されるまでＳＡ３の処理を繰り返し、非常ボタン３１ａが火災信号の送信指示を受け付ける前の状態に復旧されたと判定された場合（ＳＡ３、Ｙｅｓ）、ＳＡ４に移行する。
【００７９】
ＳＡ４において、ＳＡ３にて非常ボタン３１ａが復旧されたと判定された発信機３０の制御部３４は、各表示装置６０又は各音響装置７０の出力状態を、この発信機３０が火災信号の送信指示を受け付ける前の状態に戻すために、第１出力情報停止要求信号を生成し、当該生成した第１出力情報停止要求信号を通信部３２、第１配線２、受信機８０、及び第２配線３（又は第３配線４）を介して各表示装置６０及び各音響装置７０に送信する。ここで、「第１出力情報停止要求信号」とは、表示装置６０又は音響装置７０による第１出力情報の出力停止を要求する旨を示す情報を含む信号であり、所定のフォーマットで生成される。また、これと併せて、この発信機３０の制御部３４は、確認表示灯３３の出力状態を、発信機３０が火災信号の送信指示を受け付ける前の状態に戻すために、所定時間（例えば、６０ｍｉｎ等）経過後に確認表示灯３３の点灯表示を停止させる。その後、この発信機３０の制御部３４は、ＳＡ１に移行し、以降同様に、ＳＡ１からＳＡ４の処理を行う。
【００８０】
次に、図６に示すように、ＳＢ３において各表示装置６０の制御部６３（又は各音響装置７０の制御部７３）は、ＳＡ３にて非常ボタン３１ａが復旧されたと判定された発信機３０から送信された第１出力情報停止要求信号を第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、上記第１出力情報停止要求信号が受信されるまで待機し（ＳＢ３、Ｎｏ）、上記第１出力情報停止要求信号が受信された場合に（ＳＢ３、Ｙｅｓ）、ＳＢ４に移行する。
【００８１】
ＳＢ４において各表示装置６０の制御部６３（又は各音響装置７０の制御部７３）は、表示灯６１（又は非常ベル７１）によって、第１出力情報の出力を停止させる。ここで、第１出力情報の出力の停止については任意であるが、実施の形態１においては、表示灯６１が通常時の表示（すなわち、点灯表示）を行いながら、非常ベル７１が出力停止する。また、各表示装置６０及び各音響装置７０が、複数の発信機３０から第１出力情報出力要求信号を受信した場合において、当該複数の発信機３０の一部のみから第１出力情報停止要求信号を受信した場合には、各表示装置６０の表示灯６１及び各音響装置７０の非常ベル７１による第１出力情報の出力を継続し、当該複数の発信機３０の全部から第１出力情報停止要求信号を受信した場合には、各表示装置６０の表示灯６１及び各音響装置７０の非常ベル７１による第１出力情報の出力を停止する。その後、各表示装置６０の制御部６３（又は各音響装置７０の制御部７３）は、ＳＢ１に移行し、以降同様に、ＳＢ１からＳＢ４の処理を行う。
【００８２】
（処理−使用状態報知処理）
次に、使用状態報知処理について説明する。図７は、検知装置５０に関する使用状態報知処理のフローチャートである。図８は、表示装置６０又は音響装置７０に関する使用状態報知処理のフローチャートである。使用状態報知処理は、ＡＥＤ４０が使用状態であることを報知する処理である。この使用状態報知処理においては、概略的には、後述する第２出力情報を表示装置６０の表示灯６１又は音響装置７０の非常ベル７１に出力させる処理が行われる（なお、後述する故障状態報知処理、及び後述する使用必要状態報知処理についても同様とする）。また、この使用状態報知処理を実行するタイミングは任意であるが、実施の形態１では、ＡＥＤ４０の一部（具体的には、無線通信部４５及び制御部４９）、検知装置５０、表示装置６０、音響装置７０、及び受信機８０に電源が投入された後に起動され、上述した火災報知処理と並行して実行されるものとして説明する。
【００８３】
使用状態報知処理が起動されると、図７、図８に示すように、建物にいる人のうち、ＡＥＤ４０の使用者以外の第三者に対して、後述する第２出力情報が表示装置６０の表示灯６１又は音響装置７０の非常ベル７１によって提示することができると共に、後述する第２出力情報の誤報を防止できるように、建物に設置された各検知装置５０（以下、「各検知装置５０」と称する）の制御部５５は、ＳＣ１からＳＣ４を行うと共に、各表示装置６０の制御部６３（又は各音響装置７０の制御部７３）は、ＳＤ１及びＳＤ２の処理を行う。
【００８４】
まず、図７に示すように、ＳＣ１において各検知装置５０の制御部５５は、当該検知装置５０が収容されている筐体２１の扉部２３ｅが開かれたことが検知部５２にて検知されたか否かを判定する。例えば、建物にいる人又は受信機８０の管理者によって扉部２３ｅを開く操作が行われることで、扉部２３ｅが開かれた状態になった場合に、扉部２３ｅが開かれたことが検知部５２にて検知されたと判定する。そして、各検知装置５０の制御部５５は、扉部２３ｅが開かれたことが検知部５２にて検知されるまで待機し（ＳＣ１、Ｎｏ）、扉部２３ｅが開かれたことが検知部５２にて検知されると（ＳＣ１、Ｙｅｓ）、ＳＣ２に移行する。
【００８５】
ＳＣ２において、ＳＣ１にて扉部２３ｅが開かれたことが検知されたと判定された検知装置５０の制御部５５は、操作部５１の出力停止ボタン５１ａを介して後述する第２出力情報の出力停止指示が受け付けられたか否かを判定する。例えば、ＳＣ１にて筐体２１の扉部２３ｅが開かれたことが検知されてから所定時間内（例えば、１０ｓｅｃ以内等）に、この出力停止ボタン５１ａが操作されたか否かを判定し、所定時間内にこの出力停止ボタン５１ａが操作された場合には、後述する第２出力情報の出力停止指示が受け付けられたと判定し、所定時間内にこの出力停止ボタン５１ａが操作されなかった場合には、後述する第２出力情報の出力停止指示が受け付けられなかったと判定する。そして、この検知装置５０の制御部５５は、後述する第２出力情報の出力停止指示が受け付けられなかったと判定された場合（ＳＣ２、Ｎｏ）、ＳＣ３に移行する。一方、後述する第２出力情報の出力停止指示が受け付けられたと判定された場合（ＳＣ２、Ｙｅｓ）、各表示装置６０の表示灯６１又は各音響装置７０の非常ベル７１による後述する第２出力情報の出力を回避するために、ＳＣ１に移行することで、表示灯６１又は非常ベル７１による後述する第２出力情報の出力を停止させる。このような処理により、例えば、受信機８０の管理者がＡＥＤ４０の点検を行う場合に、後述する第２出力情報が表示装置６０の表示灯６１又は音響装置７０の非常ベル７１によって出力されることを回避できるため、ＡＥＤ４０が使用されていないにも関わらず、後述する第２出力情報が誤って出力されることを防止できる。ここで、「点検」とは、ＡＥＤ４０の異常の有無を検査することを意味する。
【００８６】
ＳＣ３において、ＳＣ２にて第２出力情報の出力停止指示が受け付けられなかったと判定された検知装置５０の判定部５５ａは、当該検知装置５０が収容されている筐体２１に収容されたＡＥＤ４０が使用状態であるか否かを判定する。ここで、このＡＥＤ４０が使用状態であるか否かの判定については任意であるが、実施の形態１においては、ＳＣ１にてこの筐体２１の扉部２３ｅが開かれたことが検知されてから所定時間内に、このＡＥＤ４０から無線通信部５４を介して当該ＡＥＤ４０が起動した旨を示す起動信号が受信されたか否かに基づいて判定する。また、ＳＣ３における所定時間の設定については任意であるが、実施の形態１においては、ＳＣ２にて出力停止指示が受け付けられるまでの間に、このＡＥＤ４０が使用状態であるか否かが判定されないように、ＳＣ２における所定時間よりも長く設定されている（例えば、１５ｓｅｃ等）。ここで、この検知装置５０の判定部５５ａは、ＳＣ１にてこの筐体２１の扉部２３ｅが開かれたことが検知されてから所定時間内に、このＡＥＤ４０から無線通信部５４を介して起動信号が受信された場合に、このＡＥＤ４０が使用状態であると判定する。一方、ＳＣ１にて筐体２１の扉部２３ｅが開かれたことが検知されてから所定時間内に、このＡＥＤ４０から無線通信部５４を介して起動信号が受信されていない場合に、このＡＥＤ４０が使用状態でないと判定する。そして、この検知装置５０の判定部５５ａは、このＡＥＤ４０が使用状態でないと判定された場合（ＳＣ３、Ｎｏ）、ＳＣ１に移行し、ＳＣ３にてこのＡＥＤ４０が使用状態であると判定されるまで、ＳＣ１からＳＣ３の処理を繰り返す。一方、このＡＥＤ４０が使用状態であると判定された場合（ＳＣ３、Ｙｅｓ）、ＳＣ４に移行する。
【００８７】
ＳＣ４において、ＳＣ３にてＡＥＤ４０が使用状態であると判定された検知装置５０の制御部５５は、建物にいる人のうち、筐体２１の扉部２３ｅを開けた人（すなわち、ＡＥＤ４０の使用者）以外の第三者に対してＡＥＤ４０が使用状態であることを報知するために、第２出力情報出力要求信号を生成し、当該生成した第２出力情報出力要求信号を通信部５３、第１配線２、受信機８０、及び第２配線３（又は第３配線４）を介して各表示装置６０及び各音響装置７０に送信する。ここで、「第２出力情報出力要求信号」とは、表示装置６０又は音響装置７０による後述する第２出力情報の出力を要求する旨を示す情報を含む信号であり、所定のフォーマットで生成される。
【００８８】
次に、図８に示すように、ＳＤ１において各表示装置６０の制御部６３（又は各音響装置７０の制御部７３）は、ＳＣ３にてＡＥＤ４０が使用状態であると判定された検知装置５０から送信された第２出力情報出力要求信号を第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、上記第２出力情報出力要求信号が受信されるまで待機し（ＳＤ１、Ｎｏ）、上記第２出力情報出力要求信号が受信された場合に（ＳＤ１、Ｙｅｓ）、ＳＤ２に移行する。
【００８９】
ＳＤ２において各表示装置６０の制御部６３（又は各音響装置７０の制御部７３）は、表示灯６１（又は非常ベル７１）によって、第２出力情報を出力させる。ここで、「第２出力情報」とは、ＡＥＤ４０の状態を示す情報を意味し、例えば、使用状態報知処理においては、ＡＥＤ４０が使用状態である旨を示す出力情報等が該当する。また、この第２出力情報の出力については任意であるが、例えば、第２出力情報を第１出力情報と識別可能に出力できるように、表示灯６１が第１出力情報の表示とは異なる時間間隔又は表示色等で表示したり、非常ベル７１が第１出力情報の出力とは異なる時間間隔又は音色等で出力することで、第２出力情報を第１出力情報とは異なる態様で出力する。この実施の形態１においては、表示灯６１による第１出力情報の表示が点灯表示である場合に、表示灯６１による第２出力情報の表示として、所定の時間間隔（例えば、３ｓｅｃ間隔等）で点滅表示する。また、非常ベル７１による第１出力情報の出力が「ジリジリ」というベル音を連続的に出力する場合に、非常ベル７１による第２出力情報の出力として、「ジリジリ」というベル音を所定の時間間隔（例えば、３ｓｅｃ間隔等）で断続的に出力する。
【００９０】
以上のような処理により、建物にいる人に対して第１出力情報と第２出力情報とを識別可能に提示（すなわち、報知）できる。よって、監視領域にいる人が、ＡＥＤ４０の状態を把握でき、従来技術に比べてＡＥＤ４０の状態に応じた必要な措置を迅速に取ることが可能となる。特に、使用状態報知処理においては、ＡＥＤ４０が使用状態である旨を示す第２出力情報を出力するので、監視領域にいる人が、ＡＥＤ４０が使用状態であることを把握できる。よって、心臓が正常に拍動できなくなった状態となった人に対して救命活動を行うために、ＡＥＤ４０が使用されている場合に、このＡＥＤ４０の使用者が、当該使用者以外の第三者からの救命活動のサポートを迅速に受けやすくなる。また、表示装置６０の表示灯６１又は音響装置７０の非常ベル７１のみによって、第１出力情報及び第２出力情報を出力させるので、例えば、発信機３０に第１出力情報及のみを出力する出力手段と、ＡＥＤ４０に第２出力情報のみを出力する出力手段とをそれぞれに設けた場合に比べて、設置スペースを小さくすることができるため、設置スペースのコンパクト化を図ることが可能となる。また、表示装置６０の表示灯６１によって、第１出力情報及び第２出力情報を容易に区別可能に提示できるため、建物にいる人に対して第１出力情報又は第２出力情報を容易且つ確実に伝えることが可能となる。また、音響装置７０の非常ベル７１によって、第１出力情報及び第２出力情報を聴覚を通じて区別可能に提示できる。よって、建物にいる人が、表示装置６０を視認することができない位置にいる場合、又は、表示装置６０を視認することができるものの、表示装置６０に表示される情報を視認することが難しい場合であっても、第１出力情報又は第２出力情報を迅速に伝えることが可能となる。
【００９１】
なお、上述したように、この使用状態報知処理は、火災報知処理と並行して実行されることから、例えば、火災報知処理のＳＢ２が実行されている場合において、ＳＤ１にて第２出力情報出力要求信号が受信された場合に、ＳＤ２が実行される。すなわち、第１出力情報の出力と第２出力情報の出力とが重複することが想定される。このような場合には、例えば、建物にいる人に対して第１出力情報及び第２出力情報の両方を提示できるように、各表示装置６０の制御部６３が、表示灯６１によって、第１出力情報と第２出力情報とを所定時間毎（例えば、２０ｓｅｃ毎等）に交互に表示させると共に、各音響装置７０の制御部７３が、非常ベル７１によって、第１出力情報と第２出力情報とを所定時間毎に交互に出力させてもよい（なお、後述する故障状態報知処理の第２出力情報の出力、及び後述する使用必要状態報知処理の第２出力情報の出力についても同様とする）。あるいは、火災報知の確実性や信頼性の観点から、第１出力情報の出力を優先させるために、火災報知処理のＳＢ３にて第１出力情報停止要求信号が受信されるまで、各表示装置６０の制御部６３が、表示灯６１によって、第１出力情報のみを表示させると共に、各音響装置７０の制御部７３が、非常ベル７１によって、第１出力情報のみを出力させてもよい（なお、後述する故障状態報知処理の第２出力情報の出力、及び後述する使用必要状態報知処理の第２出力情報の出力についても同様とする）。
【００９２】
次に、図７、図８に示すように、各表示装置６０又は各音響装置７０の出力状態を、筐体２１の扉部２３ｅが開かれる前の状態に戻すために、ＳＣ４にて第２出力情報出力要求信号が送信された検知装置５０の制御部５５は、ＳＣ５及びＳＣ６の処理を行うと共に、各表示装置６０の制御部６３（又は各音響装置７０の制御部７３）は、ＳＤ３及びＳＤ４の処理を行う。
【００９３】
まず、図７に示すように、ＳＣ５において、ＳＣ４にて第２出力情報出力要求信号が送信された検知装置５０の判定部５５ａは、ＡＥＤ４０が不使用状態であるか否かを判定する。ここで、ＡＥＤ４０が不使用状態であるか否かの判定については任意であるが、実施の形態１においては、ＳＣ３にてＡＥＤ４０が使用状態であると判定されてから所定時間（例えば、６０ｍｉｎ等）を超えたか否か、及び、ＳＣ３にてＡＥＤ４０が使用状態であると判定されてから、当該検知装置５０が収容されている筐体２１に収容されたＡＥＤ４０から無線通信部５４を介して当該ＡＥＤ４０の駆動が停止した旨を示す停止信号が受信されたか否かに基づいて判定する。具体的には、この検知装置５０の判定部５５ａは、ＳＣ３にてＡＥＤ４０が使用状態であると判定されてから所定時間を超え、且つ、ＳＣ３にてＡＥＤ４０が使用状態であると判定されてから、このＡＥＤ４０から無線通信部５４を介して停止信号が受信された場合に、ＡＥＤ４０が不使用状態であると判定する。一方、ＳＣ３にてＡＥＤ４０が使用状態であると判定されてから所定時間を超えておらず、又は、ＳＣ３にてＡＥＤ４０が使用状態であると判定されてから、このＡＥＤ４０から無線通信部５４を介して停止信号が受信されていない場合に、ＡＥＤ４０が不使用状態でないと判定する。ただし、これに限られず、例えば、ＳＣ３にてＡＥＤ４０が使用状態であると判定されてから所定時間を超えたか否かのみに基づいて判定したり、又は、ＳＣ３にてＡＥＤ４０が使用状態であると判定されてから、このＡＥＤ４０から無線通信部５４を介して停止信号が受信されたか否かのみに基づいて判定してもよい。そして、この検知装置５０の判定部５５ａは、ＡＥＤ４０が不使用状態でないと判定された場合（ＳＣ５、Ｎｏ）、ＡＥＤ４０が不使用状態であると判定されるまでＳＣ５の処理を繰り返し、ＡＥＤ４０が不使用状態であると判定された場合（ＳＣ５、Ｙｅｓ）、ＳＣ６に移行する。
【００９４】
ＳＣ６において、ＳＣ５にてＡＥＤ４０が不使用状態であると判定された検知装置５０の制御部５５は、第２出力情報停止要求信号を生成し、当該生成した第２出力情報停止要求信号を通信部５３、第１配線２、受信機８０、及び第２配線３（又は第３配線４）を介して、各表示装置６０及び各音響装置７０に送信する。ここで、「第２出力情報停止要求信号」とは、表示装置６０又は音響装置７０による後述する第２出力情報の出力停止を要求する旨を示す情報を含む信号であり、所定のフォーマットで生成される。その後、この検知装置５０の制御部５５は、ＳＣ１に移行し、以降同様に、ＳＣ１からＳＣ６の処理を行う。
【００９５】
次に、図８に示すように、ＳＤ３において各表示装置６０の制御部６３（又は各音響装置７０の制御部７３）は、ＳＣ５にてＡＥＤ４０が不使用状態であると判定された検知装置５０から送信された第２出力情報停止要求信号を第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、上記第２出力情報停止要求信号が受信されるまで待機し（ＳＤ３、Ｎｏ）、上記第２出力情報停止要求信号が受信された場合に（ＳＤ３、Ｙｅｓ）、ＳＤ４に移行する。
【００９６】
ＳＤ４において各表示装置６０の制御部６３（又は各音響装置７０の制御部７３）は、表示灯６１（又は非常ベル７１）によって、第２出力情報の出力を停止させる。ここで、第２出力情報の出力の停止については任意であるが、実施の形態１においては、表示灯６１が通常時の表示（すなわち、点灯表示）を行いながら、非常ベル７１が出力停止する（なお、後述する故障状態報知処理における第２出力情報の出力の停止、後述する使用必要状態報知処理における第２出力情報の出力の停止についても同様とする）。また、各表示装置６０及び各音響装置７０が、複数の検知装置５０から第２出力情報出力要求信号を受信した場合において、当該複数の検知装置５０の一部のみから第２出力情報停止要求信号を受信した場合には、各表示装置６０の表示灯６１及び各音響装置７０の非常ベル７１による第２出力情報の出力を継続し、当該複数の検知装置５０の全部から第２出力情報停止要求信号を受信した場合には、各表示装置６０の表示灯６１及び各音響装置７０の非常ベル７１による第２出力情報の出力を停止する。その後、各表示装置６０の制御部６３（又は各音響装置７０の制御部７３）は、ＳＤ１に移行し、以降同様に、ＳＤ１からＳＤ４の処理を行う。
【００９７】
（処理−故障状態報知処理）
次に、故障状態報知処理について説明する。図９は、検知装置５０に関する故障状態報知処理のフローチャートである。図１０は、表示装置６０又は音響装置７０に関する故障状態報知処理のフローチャートである。故障状態報知処理は、ＡＥＤ４０が故障状態であることを報知する処理である。また、この故障状態報知処理を実行するタイミングは任意であるが、実施の形態１では、ＡＥＤ４０の一部（具体的には、検知部４３、無線通信部４５、及び制御部４９）、検知装置５０、表示装置６０、及び音響装置７０に電源が投入された後に起動され、上述した火災報知処理、及び使用状態報知処理と並行して実行されるものとして説明する。
【００９８】
故障状態報知処理が起動されると、図９、図１０に示すように、建物にいる人に対して、第２出力情報が表示装置６０の表示灯６１又は音響装置７０の非常ベル７１によって提示することができるように、各検知装置５０の制御部５５は、ＳＥ１及びＳＥ２を行うと共に、各表示装置６０の制御部６３（又は各音響装置７０の制御部７３）は、ＳＦ１及びＳＦ２の処理を行う。
【００９９】
まず、図９に示すように、ＳＥ１において各検知装置５０の判定部５５ａは、当該検知装置５０が収容された筐体２１に収容されているＡＥＤ４０が故障状態であるか否かを判定する。このＡＥＤ４０が故障状態であるか否かの判定については任意であるが、実施の形態１においては、ＡＥＤ４０に異常（例えば、電源異常や機能異常等）が生じていることが検知部４３にて検知された場合に、その旨を示す異常信号をＡＥＤ４０から無線通信部５４を介して受信したか否かに基づいて判定する。ここで、各検知装置５０の判定部５５ａは、異常信号がこのＡＥＤ４０から無線通信部５４を介して受信された場合に、このＡＥＤ４０が故障状態であると判定する。一方、異常信号がこのＡＥＤ４０から無線通信部５４を介して受信されなかった場合に、このＡＥＤ４０が故障状態でないと判定する。そして、各検知装置５０の判定部５５ａは、このＡＥＤ４０が故障状態でないと判定された場合（ＳＥ１、Ｎｏ）、このＡＥＤ４０が故障状態であると判定されるまで、ＳＥ１の処理を繰り返し、このＡＥＤ４０が故障状態であると判定された場合（ＳＥ１、Ｙｅｓ）、ＳＥ２に移行する。
【０１００】
ＳＥ２において、ＳＥ１にてＡＥＤ４０が故障状態であると判定された検知装置５０の制御部５５は、建物にいる人に対して当該ＡＥＤ４０が故障状態であることを報知するために、第２出力情報出力要求信号を生成し、当該生成した第２出力情報出力要求信号を通信部５３及び第４配線５を介して、当該検知装置５０が収容された筐体２１に収容されている表示装置６０及び音響装置７０に送信する。
【０１０１】
次に、図１０に示すように、ＳＦ１において各表示装置６０の制御部６３（又は各音響装置７０の制御部７３）は、ＳＥ１にてＡＥＤ４０が故障状態であると判定された検知装置５０から送信された第２出力情報出力要求信号を第４配線５及び通信部６２（又は通信部７２）を介して受信したか否かを判定する。そして、各表示装置６０の制御部６３（又は各音響装置７０の制御部７３）は、上記第２出力情報出力要求信号が受信されるまで待機し（ＳＦ１、Ｎｏ）、上記第２出力情報出力要求信号が受信された場合に（ＳＦ１、Ｙｅｓ）、ＳＦ２に移行する。
【０１０２】
ＳＦ２において、ＳＦ１にて第２出力情報出力要求信号が受信された表示装置６０の制御部６３（又は音響装置７０の制御部７３）は、表示灯６１（又は非常ベル７１）によって、第２出力情報を出力させる。ここで、「第２出力情報」は、例えば、故障状態報知処理においては、ＡＥＤ４０が故障状態である旨を示す出力情報等が該当する。また、この第２出力情報の出力については任意であるが、実施の形態１においては、表示灯６１による第１出力情報の表示が点灯表示であり、表示灯６１による使用状態報知処理の第２出力情報が３ｓｅｃ間隔で点滅表示である場合に、表示灯６１によるこの第２出力情報の表示として、１０ｓｅｃ間隔で点滅表示する。また、非常ベル７１による第１出力情報の出力が「ジリジリ」というベル音を連続的に出力し、非常ベル７１による使用状態報知処理の第２出力情報の出力が「ジリジリ」というベル音を３ｓｅｃ間隔で断続的に出力する場合に、非常ベル７１によるこの第２出力情報の出力として、「ジリジリ」というベル音を１０ｓｅｃ間隔で断続的に出力する。
【０１０３】
以上のような処理により、監視領域にいる人が、ＡＥＤ４０が故障状態であることを把握でき、ＡＥＤ４０の点検や修理等を迅速に行うことが可能となる。
【０１０４】
次に、図９、図１０に示すように、ＳＦ２において第２出力情報が出力された表示装置６０又は音響装置７０の出力状態を、ＡＥＤ４０に異常が生じる前の状態に戻すために、ＳＥ２にて第２出力情報出力要求信号が送信された検知装置５０の制御部５５は、ＳＥ３及びＳＥ４の処理を行うと共に、ＳＦ２において第２出力情報が出力された表示装置６０又は音響装置７０は、ＳＦ３及びＳＦ４の処理を行う。
【０１０５】
まず、図９に示すように、ＳＥ３において、ＳＥ２にて第２出力情報出力要求信号が送信された検知装置５０の判定部５５ａは、当該検知装置５０が収容されている筐体２１に収容されたＡＥＤ４０が故障状態から正常状態に復旧したか否かに基づいて判定する。このＡＥＤ４０が復旧したか否かの判定については任意であるが、実施の形態１においては、ＡＥＤ４０に異常が生じていることが検知部４３にて検知されなくなった場合に、その旨を示す異常復旧信号をＡＥＤ４０から無線通信部５４を介して受信したか否かに基づいて判定する。ここで、この検知装置５０の判定部５５ａは、異常復旧信号がこのＡＥＤ４０から無線通信部５４を介して受信された場合に、このＡＥＤ４０が復旧したと判定する。一方、異常復旧信号がこのＡＥＤ４０から無線通信部５４を介して受信されていない場合に、このＡＥＤ４０が復旧していないと判定する。そして、この検知装置５０の判定部５５ａは、このＡＥＤ４０が復旧していないと判定された場合（ＳＥ３、Ｎｏ）、このＡＥＤ４０が復旧したと判定されるまで、ＳＥ３の処理を繰り返し、このＡＥＤ４０が復旧したと判定された場合（ＳＥ３、Ｙｅｓ）、ＳＥ４に移行する。
【０１０６】
ＳＥ４において、ＳＥ３にてＡＥＤ４０が復旧したと判定された検知装置５０の制御部５５は、第２出力情報停止要求信号を生成し、当該生成した第２出力情報停止要求信号を通信部５３及び第４配線５を介して、当該検知装置５０が収容された筐体２１に収容されている表示装置６０及び音響装置７０に送信する。その後、この検知装置５０の制御部５５は、ＳＥ１に移行し、以降同様に、ＳＥ１からＳＥ４の処理を行う。
【０１０７】
次に、図１０に示すように、ＳＦ３において、ＳＦ２において第２出力情報が出力された表示装置６０又は音響装置７０は、ＳＥ３にてＡＥＤ４０が復旧したと判定された検知装置５０から送信された第２出力情報停止要求信号を第４配線５及び通信部６２（又は通信部７２）を介して受信したか否かを判定する。そして、この表示装置６０の制御部６３（又はこの音響装置７０の制御部７３）は、上記第２出力情報停止要求信号が受信されるまで待機し（ＳＦ３、Ｎｏ）、上記第２出力情報停止要求信号が受信された場合に（ＳＦ３、Ｙｅｓ）、ＳＦ４に移行する。
【０１０８】
ＳＦ４において、ＳＦ３にて第２出力情報停止要求信号が受信された表示装置６０の制御部６３（又は音響装置７０の制御部７３）は、表示灯６１（又は非常ベル７１）によって、第２出力情報の出力を停止させる。その後、この表示装置６０の制御部６３（又はこの音響装置７０の制御部７３）は、ＳＦ１に移行し、以降同様に、ＳＦ１からＳＦ４の処理を行う。
【０１０９】
（処理−使用必要状態報知処理）
次に、使用必要状態報知処理について説明する。図１１は、検知装置５０に関する使用必要状態報知処理のフローチャートである。図１２は、表示装置６０又は音響装置７０に関する使用必要状態報知処理のフローチャートである。使用必要状態報知処理は、ＡＥＤ４０が使用必要状態であることを報知する処理である。また、この使用必要状態報知処理を実行するタイミングは任意であるが、実施の形態１では、ＡＥＤ４０の一部（具体的には、無線通信部４５、撮像部４８、及び制御部４９）、検知装置５０、表示装置６０、及び音響装置７０に電源が投入された後に起動され、上述した火災報知処理、使用状態報知処理、及び故障状態報知処理と並行して実行されるものとして説明する。なお、図１１のＳＧ４及びＳＧ８の処理の内容が、故障状態報知処理における図９のＳＥ２及びＳＥ４の処理と同様であると共に、図１２のＳＨ１、ＳＨ３、及びＳＨ４の処理の内容が、使用状態報知処理における図１０のＳＦ１、ＳＦ３、及びＳＦ４の処理と同様であることから、これら処理の説明を省略する。
【０１１０】
使用必要状態報知処理が起動されると、図１１、図１２に示すように、建物にいる人に対して、第２出力情報が表示装置６０の表示灯６１又は音響装置７０の非常ベル７１によって提示することができるように、各検知装置５０の制御部５５は、ＳＧ１からＳＧ４を行うと共に、各表示装置６０の制御部６３（又は各音響装置７０の制御部７３）は、ＳＨ１及びＳＨ２の処理を行う。
【０１１１】
まず、図１１に示すように、ＳＧ１において各検知装置５０の制御部５５は、当該検知装置５０が収容された筐体２１に収容されているＡＥＤ４０から無線通信部５４を介して所定のタイミング（例えば、３０ｍｉｎ毎等）で送信される画像信号であって、当該ＡＥＤ４０の撮像部４８にて撮像された画像を含む画像信号を受信した否かを判定する。そして、各検知装置５０の制御部５５は、上記画像信号が受信されるまで待機し（ＳＧ１、Ｎｏ）、上記画像信号が受信された場合に（ＳＧ１、Ｙｅｓ）、ＳＧ２に移行する。
【０１１２】
ＳＧ２において、ＳＧ１にて画像信号が受信された検知装置５０の画像処理部５５ｂは、公知の画像処理手法を用いて、当該画像信号に含まれる画像を処理する。この画像の画像処理については任意であるが、例えば、この画像から所定の輪郭を有する形状を抽出し、当該抽出した形状と、記憶部５６にあらかじめ記憶された人の姿勢を特定するデータとのマッチングを行うことにより、この画像に含まれる人の姿勢を特定する（なお、後述するＳＧ６における画像の画像処理についても同様とする）。
【０１１３】
ＳＧ３において、ＳＧ１にて画像信号が受信された検知装置５０の判定部５５ａは、当該検知装置５０が収容された筐体２１に収容されているＡＥＤ４０が使用必要状態であるか否かを判定する。このＡＥＤ４０が使用必要状態であるか否かの判定については任意であるが、実施の形態１においては、ＳＧ２にて処理された画像に、地面に倒れている人の輪郭を有する形状が存在する否かに基づいて判定する。ここで、この検知装置５０の判定部５５ａは、ＳＧ２にて処理された画像に、地面に倒れている人の輪郭を有する形状が存在する場合に、このＡＥＤ４０が使用必要状態であると判定する。一方、ＳＧ２にて処理された画像に、地面に倒れている人の輪郭を有する形状が存在しない場合に、このＡＥＤ４０が使用必要状態でないと判定する。そして、この検知装置５０の判定部５５ａは、このＡＥＤ４０が使用必要状態でないと判定された場合（ＳＧ３、Ｎｏ）、ＳＧ１に移行し、ＳＧ３にてこのＡＥＤ４０が使用必要状態であると判定されるまで、ＳＧ１からＳＧ３の処理を繰り返す。一方、このＡＥＤ４０が使用必要状態であると判定された場合（ＳＧ３、Ｙｅｓ）、ＳＧ４に移行する。
【０１１４】
また、図１２に示すように、ＳＨ１の処理後、ＳＨ２において、ＳＨ１にて第２出力情報出力要求信号が受信された表示装置６０の制御部６３（又は音響装置７０の制御部７３）は、表示灯６１（又は非常ベル７１）によって、第２出力情報を出力させる。ここで、「第２出力情報」は、例えば、使用必要状態報知処理においては、ＡＥＤ４０が使用必要状態である旨を示す出力情報等が該当する。また、この第２出力情報の出力については任意であるが、実施の形態１においては、表示灯６１による第１出力情報の表示が点灯表示であり、表示灯６１による使用状態報知処理の第２出力情報が３ｓｅｃ間隔で点滅表示であり、表示灯６１による故障状態報知処理の第２出力情報が１０ｓｅｃ間隔で点滅表示である場合に、表示灯６１によるこの第２出力情報の表示として、６ｓｅｃ間隔で点滅表示する。また、非常ベル７１による第１出力情報の出力が「ジリジリ」というベル音を連続的に出力し、非常ベル７１による使用状態報知処理の第２出力情報の出力が「ジリジリ」というベル音を３ｓｅｃ間隔で断続的に出力し、非常ベル７１による使用状態報知処理の第２出力情報の出力が「ジリジリ」というベル音を１０ｓｅｃ間隔で断続的に出力する場合に、非常ベル７１によるこの第２出力情報の出力として、「ジリジリ」というベル音を６ｓｅｃ間隔で断続的に出力する。
【０１１５】
以上のような処理により、監視領域にいる人が、ＡＥＤ４０が使用必要状態であることを把握でき、ＡＥＤ４０の使用を迅速に開始することが可能となる。
【０１１６】
次に、図１１、図１２に示すように、ＳＨ２において第２出力情報が出力された表示装置６０又は音響装置７０の出力状態を、ＳＧ２にて処理された画像に、地面に倒れている人の輪郭を有する形状が存在する前の状態に戻すために、ＳＧ４にて第２出力情報出力要求信号が送信された検知装置５０の制御部５５は、ＳＧ５からＳＧ８の処理を行うと共に、ＳＨ２において第２出力情報が出力された表示装置６０又は音響装置７０は、ＳＨ３及びＳＨ４の処理を行う。
【０１１７】
まず、図１１に示すように、ＳＧ５において、ＳＧ４にて第２出力情報出力要求信号が送信された検知装置５０の制御部５５は、当該検知装置５０が収容された筐体２１に収容されているＡＥＤ４０から無線通信部５４を介して所定のタイミングで送信される画像信号を受信した否かを判定する。そして、この検知装置５０の制御部５５は、上記画像信号が受信されるまで待機し（ＳＧ５、Ｎｏ）、上記画像信号が受信された場合に（ＳＧ５、Ｙｅｓ）、ＳＧ６に移行する。
【０１１８】
ＳＧ６において、ＳＧ５にて画像信号が受信された検知装置５０の画像処理部５５ｂは、公知の画像処理手法を用いて、当該画像信号に含まれる画像を処理する。
【０１１９】
ＳＧ７において、ＳＧ５にて画像信号が受信された検知装置５０の判定部５５ａは、当該検知装置５０が収容された筐体２１に収容されているＡＥＤ４０の使用を必要としない使用不要状態であるか否かを判定する。このＡＥＤ４０が使用不要状態であるか否かの判定については任意であるが、実施の形態１においては、ＳＧ６にて処理された画像に、地面に倒れている人の輪郭を有する形状が存在する否かに基づいて判定する。ここで、この検知装置５０の判定部５５ａは、ＳＧ５にて処理された画像に、地面に倒れている人の輪郭を有する形状が存在する場合に、ＡＥＤ４０が使用不要状態でないと判定する。一方、ＳＧ６にて処理された画像に、地面に倒れている人の輪郭を有する形状が存在しない場合に、ＡＥＤ４０が使用不要状態であると判定する。そして、この検知装置５０の判定部５５ａは、このＡＥＤ４０が使用不要状態でないと判定された場合（ＳＧ７、Ｎｏ）、ＳＧ５に移行し、ＳＧ７にてこのＡＥＤ４０が使用不要状態であると判定されるまで、ＳＧ５からＳＧ７の処理を繰り返す。一方、このＡＥＤ４０が使用不要状態であると判定された場合（ＳＧ７、Ｙｅｓ）、ＳＧ８に移行する。
【０１２０】
（効果）
このように実施の形態１によれば、発信機３０の非常ボタン３１ａを介して火災信号の送信指示が受け付けられた場合に、第１出力情報を表示装置６０の表示灯６１又は音響装置７０の非常ベル７１に出力させ、検知装置５０の検知部５２及び判定部５５ａ等による判定結果に基づいて、第２出力情報を第１出力情報と識別可能に表示灯６１又は非常ベル７１に出力させるので、建物にいる人に対して第１出力情報と第２出力情報とを識別可能に提示（すなわち、報知）できる。よって、監視領域にいる人が、ＡＥＤ４０の状態を把握でき、従来技術に比べてＡＥＤ４０の状態に応じた必要な措置を迅速に取ることが可能となる。また、表示灯６１（又は非常ベル７１）のみによって、第１出力情報及び第２出力情報を出力するので、第１出力情報及のみを出力する出力手段と、第２出力情報のみを出力する出力手段とをそれぞれに設けた場合に比べて、設置スペースを小さくすることができるため、設置スペースのコンパクト化を図ることが可能となる。
【０１２１】
また、検知装置５０の検知部５２及び判定部５５ａによってＡＥＤ４０が使用状態であると判定された場合に、当該ＡＥＤ４０が使用状態である旨を示す第２出力情報を表示灯６１又は非常ベル７１に出力させるので、監視領域にいる人が、ＡＥＤ４０が使用状態であることを把握できる。よって、心臓が正常に拍動できなくなった状態となった人に対して救命活動を行うために、ＡＥＤ４０が使用されている場合に、このＡＥＤ４０の使用者が、当該使用者以外の第三者からの救命活動のサポートを迅速に受けやすくなる。
【０１２２】
また、ＡＥＤ４０の検知部４３及び検知装置５０の判定部５５ａによってＡＥＤ４０が故障状態であると判定された場合に、当該ＡＥＤ４０が故障状態である旨を示す第２出力情報を表示灯６１又は非常ベル７１に出力させるので、監視領域にいる人が、ＡＥＤ４０が故障状態であることを把握でき、ＡＥＤ４０の点検や修理等を迅速に行うことが可能となる。
【０１２３】
また、検知装置５０の判定部５５ａ及び画像処理部５５ｂによってＡＥＤ４０が使用必要状態であると判定された場合に、当該ＡＥＤ４０が使用必要状態である旨を示す第２出力情報を表示灯６１又は非常ベル７１に出力させるので、監視領域にいる人が、ＡＥＤ４０が使用必要状態であることを把握でき、ＡＥＤ４０の使用を迅速に開始することが可能となる。
【０１２４】
また、発信機３０の非常ボタン３１ａを介して火災信号の送信指示が受け付けられた場合に、第１出力情報を表示装置６０の表示灯６１に表示させ、検知装置５０の判定部５５の判定結果に基づいて、第２出力情報を、第１出力情報とは異なる態様で表示灯６１に表示させるので、表示灯６１によって、第１出力情報及び第２出力情報を容易に区別可能に提示できるため、建物にいる人に対して第１出力情報又は第２出力情報を容易且つ確実に伝えることが可能となる。
【０１２５】
また、発信機３０の非常ボタン３１ａを介して火災信号の送信指示が受け付けられた場合に、第１出力情報を音響装置７０の非常ベル７１に出力させ、検知装置５０の判定部５５の判定結果に基づいて、第２出力情報を、第１出力情報とは異なる態様で非常ベル７１に出力させるので、非常ベル７１によって、第１出力情報及び第２出力情報を区別可能に提示できる。よって、監視領域にいる人が、表示灯６１を視認することができない位置にいる場合、又は、表示灯６１を視認することができるものの、表示灯６１に表示される情報を視認することが難しい場合であっても、第１出力情報又は第２出力情報を迅速に伝えることが可能となる。
【０１２６】
また、検知装置５０の出力停止ボタン５１ａを介して第２出力情報の出力停止の指示が受け付けられた場合に、表示装置６０の表示灯６１又は音響装置７０の非常ベル７１による当該第２出力情報の出力を停止させるので、受信機８０の管理者等がＡＥＤ４０の点検を行う場合に、第２出力情報が表示灯６１又は非常ベル７１によって出力されることを回避できるため、ＡＥＤ４０が使用されていないにも関わらず、第２出力情報が誤って出力されることを防止できる。
【０１２７】
また、監視領域内に設けられた筐体２１の内部に、発信機３０とＡＥＤ４０とを一体に収容したので、発信機３０及びＡＥＤ４０を１つの装置として集約することができるため、発信機３０とＡＥＤ４０とを別体に設けた場合に比べて、設置スペース、設置コスト、及び設置作業の手間を低減することが可能となる。また、ＡＥＤ４０を従来技術よりも目立つ位置に設置できるので、有事の際の利便性（例えば、ＡＥＤ４０を迅速に見つけることができる等）を向上させることが可能となる。
【０１２８】
〔実施の形態２〕
次に、実施の形態２に係る火災報知システムについて説明する。この実施の形態２は、発信機とＡＥＤとを離れた位置に設けた形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１２９】
（構成）
最初に、実施の形態２に係る火災報知システムの構成を説明する。図１３は、実施の形態２に係る火災報知システムの構成を示す概略図である。図１４は、複合報知装置及び検知装置の電気的構成を示したブロック図である。図１３、図１４に示すように、火災報知システム１０１は、感知器１０と、複合報知装置２０と、ＡＥＤ４０と、検知装置５０と、受信機８０と、通報装置９０とを備えて構成されている。このうち、感知器１０、複合報知装置２０、ＡＥＤ４０、及び検知装置５０は、各階毎に１台又は複数台が配置されている。
【０１３０】
（構成−複合報知装置）
次に、複合報知装置２０の構成について説明する。図１３、図１４に示すように、この複合報知装置２０は、筐体２１の内部において、発信機３０と、表示装置６０と、音響装置７０とを一体に収容して構成されている。
【０１３１】
（構成−複合報知装置−筐体）
筐体２１は、発信機３０と、ＡＥＤ４０と、表示装置６０と、音響装置７０とを外部から保護する保護手段である。この筐体２１は、ベース部と、正面パネル部とを備えて構成されており（いずれも図示省略）、正面パネル部はベース部に対して嵌合構造や固定具等にて固定されている。また、このベース部においては、発信機３０、表示装置６０、及び音響装置７０の各々を構成する各部が固定されている。また、発信機３０、表示装置６０、又は音響装置７０に接続された第１配線２、第２配線３、及び第３配線４が、ベース部に形成された開口部（図示省略）を介して筐体２１の外部に引き出されている。また、正面パネル部には、実施の形態１に係る筐体２１の上部正面パネル部２２ｂと同様の第１操作口、第２操作口、音響孔、及び導光孔が設けられている（いずれも図示省略）。
【０１３２】
（構成−ＡＥＤ）
次に、ＡＥＤ４０の構成について説明する。ＡＥＤ４０は、監視領域内に設けられたＡＥＤ筐体２５の内部に収容されたＡＥＤ本体部４１の内部において、操作部４２、通信部４４、無線通信部４５、電源部４６、表示部４７、制御部４９、及び記憶部４０１を備えて構成されている。
【０１３３】
（構成−ＡＥＤ−ＡＥＤ筐体）
ＡＥＤ筐体２５は、ＡＥＤ４０及び検知装置５０を外部から保護する保護手段である。このＡＥＤ筐体２５は、例えば金属材料等にて形成された略箱状体であり、具体的には、一側面（例えば、前面等）を開放した略箱形状のベース部であって、ＡＥＤ４０を収容するベース部と、このベース部をその開放面側から略覆う正面パネル部とを備えて構成されており（いずれも図示省略）、正面パネル部はベース部に対して嵌合構造や固定具等にて固定されている。また、このベース部においては、ＡＥＤ４０及び検知装置５０の各々を構成する各部が固定されており、ＡＥＤ４０に接続されたが、ベース部に形成された開口部（図示省略）を介してＡＥＤ筐体２５の外部に引き出されている。また、正面パネル部には、実施の形態１に係る複合報知装置２０の下部正面パネル部２２ｃと同様の扉窓部が取り付けられた扉部（図示省略）が設けられている。
【０１３４】
（構成−検知装置）
次に、検知装置５０の構成について説明する。検知装置５０は、監視領域内に設けられたＡＥＤ筐体２５の内部に収容されており、操作部５１、検知部５２、通信部５３、無線通信部５４、及び制御部５５を備えて構成されている。このうち、制御部５５は、機能概念的に、判定部５５ａを備えている。
【０１３５】
（処理）
次に、このように構成された火災報知システム１０１によって実行される火災報知処理及び使用状態報知処理について説明する。ここで、火災報知処理については、上述した実施の形態１に係る火災報知処理と同様であるので、その処理の説明を省略する。また、使用状態報知処理については、図７のＳＣ１及びＳＣ３の処理の内容を除いて、実施の形態１に係る使用状態報知処理の各処理と同様であるので、フローチャートの図示及び説明を省略する。
【０１３６】
（処理−使用状態報知処理）
使用状態報知処理が起動されると、ＳＣ１において各検知装置５０の制御部５５は、当該検知装置５０が収容されているＡＥＤ筐体２５の扉部が開かれたことが検知部５２にて検知されたか否かを判定する。そして、このＡＥＤ筐体２５の扉部が開かれたことが検知部５２にて検知されるまで待機し（ＳＣ１、Ｎｏ）、このＡＥＤ筐体２５の扉部が開かれたことが検知部５２にて検知されると（ＳＣ１、Ｙｅｓ）、ＳＣ２に移行する。
【０１３７】
また、ＳＣ２の処理後、ＳＣ３において、ＳＣ２にて第２出力情報の出力停止指示が受け付けられなかったと判定された検知装置５０の判定部５５ａは、当該検知装置５０が収容されているＡＥＤ筐体２５に収容されたＡＥＤ４０が使用状態であるか否かを判定する。このＡＥＤ４０が使用状態であるか否かの判定については任意であるが、実施の形態２においては、ＳＣ１にてこのＡＥＤ筐体２５の扉部が開かれたことが検知されてから所定時間内（例えば、１５ｓｅｃ等）に、このＡＥＤ４０から無線通信部５４を介して当該ＡＥＤ４０が起動した旨を示す起動信号が受信されたか否かに基づいて判定する。ここで、この検知装置５０の判定部５５ａは、ＳＣ１にてこのＡＥＤ筐体２５の扉部が開かれたことが検知されてから所定時間内に、このＡＥＤ４０から無線通信部５４を介して起動信号が受信された場合に、このＡＥＤ４０が使用状態であると判定する。一方、ＳＣ１にてこのＡＥＤ筐体２５の扉部が開かれたことが検知されてから所定時間内に、このＡＥＤ４０から無線通信部５４を介して起動信号が受信されていない場合に、このＡＥＤ４０が使用状態でないと判定する。そして、この検知装置５０の判定部５５ａは、このＡＥＤ４０が使用状態でないと判定された場合（ＳＣ３、Ｎｏ）、ＳＣ１に移行し、ＳＣ３にてこのＡＥＤ４０が使用状態であると判定されるまで、ＳＣ１からＳＣ３の処理を繰り返す。一方、このＡＥＤ４０が使用状態であると判定された場合（ＳＣ３、Ｙｅｓ）、ＳＣ４に移行する。
【０１３８】
（効果）
このように実施の形態２によれば、発信機３０とＡＥＤ４０とをそれぞれ離れた位置に配置した場合において、表示装置６０の表示灯６１（又は音響装置７０の非常ベル７１）のみによって、第１出力情報及び第２出力情報を出力するので、第１出力情報及のみを出力する出力手段と、第２出力情報のみを出力する出力手段とをそれぞれに設けた場合に比べて、設置スペースを小さくすることができるため、設置スペースのコンパクト化を図ることが可能となる。
【０１３９】
〔III〕実施の形態に対する変形例
以上、本発明に係る実施の形態１、２について説明したが、本発明の具体的な構成及び手段は、特許請求の範囲に記載した本発明の技術的思想の範囲内において、任意に改変及び改良することができる。以下、このような変形例について説明する。
【０１４０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来のシステムよりも設置スペースのコンパクト化を図ることができない場合であっても、従来のシステムと同程度の設置スペースのコンパクト化が従来のシステムとは異なる本願発明のシステムによって達成できている場合には、本願発明の課題が解決されている。
【０１４１】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、発信機３０やＡＥＤ４０をそれぞれ複数の装置に分散して構成したり、発信機３０やＡＥＤ４０の一方の機能の一部を他方に持たせたりしてもよい。また、各部を分散する場合において、これら各部の相互間の連携は、有線と無線のいずれか一方又は両方により行うことができる。
【０１４２】
（実施の形態の相互関係について）
複数の実施の形態が記載されている場合において、これら複数の実施の形態の相互間においては、その構成や処理の一部を相互に入れ替えたり、一方の構成や処理を他方に適用したりしてもよい。
【０１４３】
（形状、数値、構造、時系列について）
各実施の形態や図面において例示した構成要素に関して、形状、数値、又は複数の構成要素の構造若しくは時系列の相互関係については、本発明の技術的思想の範囲内において、任意に改変及び改良することができる。
【０１４４】
（複合報知装置について）
上記実施の形態１では、複合報知装置２０は、筐体２１の内部において、発信機３０と、ＡＥＤ４０と、検知装置５０と、表示装置６０と、音響装置７０とを一体に収容して構成されていると説明したが、これに限られない。例えば、これらの装置に加えて、他の機器や設備（例えば消火栓等）を一体に収容して構成されてもよい（なお、実施の形態２の複合報知装置２０についても同様とする）。
【０１４５】
また、上記実施の形態１、２では、複合報知装置２０は、表示装置６０と、音響装置７０とを備えていると説明したが、これに限られず、例えば、表示装置６０又は音響装置７０のいずれか一方のみを備えてもよい。
【０１４６】
（音響装置について）
上記実施の形態１、２では、音響装置７０は、非常ベル７１を備えていると説明したが、これに限られない。例えば、様々な音色で第１出力情報又は第２出力情報を出力できるように、公知のブザーや公知のスピーカを備えてもよい。ここで、ブザーやスピーカによる第１出力情報及び第２出力情報の出力については任意であるが、例えば、第１出力情報の出力として、「火災が発生しました」等の定型メッセージを出力し、第２出力情報の出力として、「ＡＥＤが使用されています」等の定型メッセージを出力してもよい。
【０１４７】
（火災報知システムが実行する処理について）
上記実施の形態２では、火災報知システム１０１は、火災報知処理及び使用状態報知処理のみを実行すると説明したが、これに限られず、例えば、これら処理に加えて、故障状態報知処理及び使用必要状態報知処理も実行してもよい。この場合において、故障状態報知処理及び使用必要状態報知処理の各々における第２出力情報出力要求信号（又は第２出力情報停止要求信号）の送信については、具体的には、まず、検知装置５０の制御部５５が、第２出力情報出力要求信号（又は第２出力情報停止要求信号）に記憶部４０１に格納されたＡＥＤ４０を一意に識別する識別情報を付加したものを通信部５３及び第１配線２を介して受信機８０に送信する。次に、受信機８０の制御部が、検知装置５０から送信された第２出力情報出力要求信号（又は第２出力情報停止要求信号）を第１配線２及び通信部を介して受信する。次いで、受信機８０の制御部が、受信した第２出力情報出力要求信号（又は第２出力情報停止要求信号）に付加された識別情報に基づいて、ＡＥＤ４０の近傍に設置された表示装置６０（又は音響装置７０）を特定し、第２出力情報出力要求信号を通信部及び第２配線３（又は第３配線４）を介して当該特定された表示装置６０（又は音響装置７０）のみに送信する（なお、後述する実施の形態１に係る故障状態報知処理の第２出力情報出力要求信号（又は第２出力情報停止要求信号）の送信、後述する実施の形態１に係る使用必要状態報知処理の第２出力情報出力要求信号（又は第２出力情報停止要求信号）の送信についても同様とする）。これにより、特定された表示装置６０（又は音響装置７０）のみに、第２出力情報を出力させたり、又は第２出力情報の出力を停止させたりすることができる。
【０１４８】
（火災報知処理について）
上記実施の形態１、２では、ＳＢ２における第１出力情報の出力において、表示装置６０の表示灯６１によって点灯表示させると共に、音響装置７０の非常ベル７１によってベル音を連続的に出力させると説明したが、これに限られない。例えば、表示灯６１による第２出力情報の表示とは異なる時間間隔（例えば、１ｓｅｃ間隔等）で、表示灯６１が点滅表示すると共に、非常ベル７１による第１出力情報の出力とは異なる時間間隔（例えば、１ｓｅｃ間隔等）で、非常ベル７１が「ジリジリ」というベル音を断続的に出力してもよい。
【０１４９】
（使用状態報知処理について）
上記実施の形態１では、ＳＣ１、ＳＣ２の処理が行われると説明したが、これに限られず、例えば、ＳＣ１、ＳＣ２の処理を省略してもよい。この場合には、実施の形態１では、ＳＣ３において、各検知装置５０の判定部５５ａが、検知部５２の検知結果のみに基づいてＡＥＤ４０が使用状態であるか否かを判定し、検知部５２にて筐体２１の扉部２３ｅが開かれたことが検知されていない場合に、ＡＥＤ４０が使用状態でないと判定し、検知部５２にて筐体２１の扉部２３ｅが開かれたことが検知された場合に、ＡＥＤ４０が使用状態であると判定する。
【０１５０】
また、上記実施の形態１では、ＳＣ３におけるＡＥＤ４０が使用状態であるか否かの判定については、検知装置５０の制御部５５が、ＳＣ１にて筐体２１の扉部２３ｅが開かれたことが検知されてから所定時間内に、ＡＥＤ４０から無線通信部５４を介して当該ＡＥＤ４０が起動した旨を示す起動信号が受信されたか否かに基づいて判定すると説明したが、これに限られない。例えば、ＳＣ１にて筐体２１の扉部２３ｅが開かれたことが検知されてから所定時間（例えば、１５ｓｅｃ等）を超えたか否かに基づいて判定してもよい。あるいは、上記起動信号が受信されたか否かに基づいて判定した後に、上記所定時間を超えたか否かに基づいて判定してもよい。
【０１５１】
また、上記実施の形態１では、ＳＣ４において、ＳＣ３にてＡＥＤ４０が使用状態であると判定された検知装置５０の制御部５５が、第２出力情報出力要求信号を通信部５３、第１配線２、受信機８０、及び第２配線３（又は第３配線４）を介して各表示装置６０及び各音響装置７０に送信すると説明したが、これに限られない。例えば、検知装置５０と表示装置６０及び音響装置７０の各々との相互間で通信を行うことができるように、ＳＣ３にてＡＥＤ４０が使用状態であると判定された検知装置５０の制御部５５が、第２出力情報出力要求信号を通信部５３及び第４配線５を介して当該検知装置５０が収容されている筐体２１に収容された表示装置６０及び音響装置７０のみに送信してもよい。この場合には、ＳＣ６において、ＳＣ５にてＡＥＤ４０が不使用状態であると判定された検知装置５０の制御部５５が、第２出力情報停止要求信号を通信部５３及び第４配線５を介して当該検知装置５０が収容されている筐体２１に収容された表示装置６０及び音響装置７０のみに送信する。このような処理により、ＳＣ３にてＡＥＤ４０が使用状態であると判定された検知装置５０が収容されている筐体２１に収容された表示装置６０の表示灯６１又は音響装置７０の非常ベル７１により第２出力情報を出力させることができるので、監視領域にいる人が、建物に設置された複数のＡＥＤ４０の中から、使用状態にあるＡＥＤ４０を容易且つ正確に認識することが可能となる。
【０１５２】
また、上記実施の形態１では、ＳＤ２、ＳＦ２、ＳＨ２において、表示装置６０の制御部６３が、表示灯６１によって所定の時間間隔で点滅表示させると説明したが、これに限られない。例えば、表示灯６１によって、第１出力情報と第２出力情報とを異なる表示色で表示できるように、表示灯６１が、赤色のＬＥＤランプと、白色のＬＥＤランプと、黄色のＬＥＤランプと、緑色のＬＥＤランプとを備える。そして、表示装置６０の制御部６３が、第１出力情報を赤色のＬＥＤランプによって出力させ、使用状態報知処理の第２出力情報を白色のＬＥＤランプによって出力させ、故障状態報知処理の第２出力情報を黄色のＬＥＤランプによって出力させ、使用必要状態報知処理の第２出力情報を緑色のＬＥＤランプによって出力させてもよい。
【０１５３】
（故障状態報知処理について）
上記実施の形態１では、ＳＥ２（又はＳＥ４）において、検知装置５０の制御部５５が、第２出力情報出力要求信号（又は第２出力情報停止要求信号）を通信部５３及び第４配線５を介して、当該検知装置５０が収容された筐体２１に収容されている表示装置６０及び音響装置７０に送信すると説明したが、これに限られない。例えば、第２出力情報出力要求信号（又は第２出力情報停止要求信号）を通信部５３、第１配線２、受信機８０、及び第２配線３（又は第３配線４）を介して上述した表示装置６０及び音響装置７０のみに送信してもよい（なお、実施の形態１に係る使用必要状態報知処理の第２出力情報出力要求信号（又は第２出力情報停止要求信号）の送信についても同様とする）。これにより、第４配線５を用いることなく、第２出力情報出力要求信号（又は第２出力情報停止要求信号）を上述した表示装置６０（又は音響装置７０）のみに送信でき、上述した表示装置６０（又は音響装置７０）のみに、第２出力情報を出力させたり、又は第２出力情報の出力を停止させたりすることができる。なお、この場合には、第４配線５を省略することが可能となる。
【０１５４】
（使用必要状態報知処理について）
上記実施の形態１では、撮像部４８にて撮像された画像を用いて、ＡＥＤ４０が使用必要状態（又は使用不要状態）であるか否かを判定すると説明したが、これに限られない。例えば、建物に設けられた公知のセキュリティシステムを構成する監視カメラであり、当該検知装置５０の近傍に設置された監視カメラにて撮像された画像を用いて、ＡＥＤ４０が使用必要状態（又は使用不要状態）であるか否かを判定してもよい。
【０１５５】
（付記）
上述した課題を解決し、目的を達成するために、付記１の火災報知システムは、監視領域における火災を検知して警報を行う火災報知システムであって、火災を報知する火災信号を送信する発信機と、除細動を行う自動体外式除細動器と、前記自動体外式除細動器の状態を判定する判定手段と、火災の報知を示す第１出力情報を出力する出力手段と、を備え、前記発信機は、前記火災信号の送信指示を受け付ける操作手段を備え、前記操作手段を介して前記火災信号の送信指示が受け付けられた場合に、前記第１出力情報を前記出力手段に出力させ、前記判定手段の判定結果に基づいて、前記自動体外式除細動器の状態を示す第２出力情報を、前記第１出力情報と識別可能に前記出力手段に出力させる。
【０１５６】
付記２の火災報知システムは、付記１に記載の火災報知システムにおいて、前記自動体外式除細動器の状態として、当該自動体外式除細動器の使用状態を含み、前記判定手段によって前記自動体外式除細動器が使用状態であると判定された場合に、当該自動体外式除細動器が使用状態である旨を示す前記第２出力情報を前記出力手段に出力させる。
【０１５７】
付記３の火災報知システムは、付記１又は２に記載の火災報知システムにおいて、前記自動体外式除細動器の状態として、当該自動体外式除細動器の故障状態を含み、前記判定手段によって前記自動体外式除細動器が故障状態であると判定された場合に、当該自動体外式除細動器が故障状態である旨を示す前記第２出力情報を前記出力手段に出力させる。
【０１５８】
付記４の火災報知システムは、付記１から３のいずれか一項に記載の火災報知システムにおいて、前記自動体外式除細動器の状態として、当該自動体外式除細動器の使用を必要とする使用必要状態を含み、前記判定手段によって前記自動体外式除細動器が使用必要状態であると判定された場合に、当該自動体外式除細動器が使用必要状態である旨を示す前記第２出力情報を前記出力手段に出力させる。
【０１５９】
付記５の火災報知システムは、付記１から４のいずれか一項に記載の火災報知システムにおいて、前記出力手段として、前記第１出力情報を表示する表示手段を備え、前記操作手段を介して前記火災信号の送信指示が受け付けられた場合に、前記第１出力情報を前記表示手段に表示させ、前記判定手段の判定結果に基づいて、前記第２出力情報を、前記第１出力情報とは異なる態様で前記表示手段に表示させる。
【０１６０】
付記６の火災報知システムは、付記１から５のいずれか一項に記載の火災報知システムにおいて、前記出力手段として、前記第１出力情報を警報音で出力する警報音出力手段を備え、前記操作手段を介して前記火災信号の送信指示が受け付けられた場合に、前記第１出力情報を前記警報音出力手段に出力させ、前記判定手段の判定結果に基づいて、前記第２出力情報を、前記第１出力情報とは異なる態様で前記警報音出力手段に出力させる。
【０１６１】
付記７の火災報知システムは、付記１から６のいずれか一項に記載の火災報知システムにおいて、前記第２出力情報の出力停止の指示を受け付ける出力停止操作手段を備え、前記出力停止操作手段を介して前記第２出力情報の出力停止の指示が受け付けられた場合に、前記出力手段による当該第２出力情報の出力を停止させる。
【０１６２】
付記８の火災報知システムは、付記１から７のいずれか一項に記載の火災報知システムにおいて、前記監視領域内に設けられた筐体の内部に、前記発信機と前記自動体外式除細動器とを一体に収容した。
【０１６３】
（付記の効果）
付記１に記載の火災報知システムによれば、操作手段を介して火災信号の送信指示が受け付けられた場合に、第１出力情報を出力手段に出力させ、判定手段の判定結果に基づいて、当該自動体外式除細動器の状態を示す第２出力情報を、第１出力情報と識別可能に出力手段に出力させるので、監視領域にいる人に対して第１出力情報と第２出力情報とを識別可能に提示（すなわち、報知）できる。よって、監視領域にいる人が、自動体外式除細動器の状態を把握でき、従来技術に比べて自動体外式除細動器の状態に応じた必要な措置を迅速に取ることが可能となる。また、出力手段のみによって、第１出力情報及び第２出力情報を出力するので、例えば、第１出力情報のみを出力する出力手段と、第２出力情報のみを出力する出力手段とをそれぞれに設けた場合に比べて、設置スペースを小さくすることができるため、設置スペースのコンパクト化を図ることが可能となる。
【０１６４】
付記２に記載の火災報知システムによれば、判定手段によって自動体外式除細動器が使用状態であると判定された場合に、当該自動体外式除細動器が使用状態である旨を示す第２出力情報を出力手段に出力させるので、監視領域にいる人が、自動体外式除細動器が使用状態であることを把握できる。よって、心臓が正常に拍動できなくなった状態となった人に対して救命活動を行うために、自動体外式除細動器が使用されている場合に、この自動体外式除細動器の使用者が、当該使用者以外の第三者からの救命活動のサポートを迅速に受けやすくなる。
【０１６５】
付記３に記載の火災報知システムによれば、判定手段によって自動体外式除細動器が故障状態であると判定された場合に、当該自動体外式除細動器が故障状態である旨を示す第２出力情報を出力手段に出力させるので、監視領域にいる人が、自動体外式除細動器が故障状態であることを把握でき、自動体外式除細動器の点検や修理等を迅速に行うことが可能となる。
【０１６６】
付記４に記載の火災報知システムによれば、判定手段によって自動体外式除細動器が使用必要状態であると判定された場合に、当該自動体外式除細動器が使用必要状態である旨を示す第２出力情報を出力手段に出力させるので、監視領域にいる人が、自動体外式除細動器が使用必要状態であることを把握でき、自動体外式除細動器の使用を迅速に開始することが可能となる。
【０１６７】
付記５に記載の火災報知システムによれば、操作手段を介して火災信号の送信指示が受け付けられた場合に、第１出力情報を表示手段に表示させ、判定手段の判定結果に基づいて、第２出力情報を、第１出力情報とは異なる態様で表示手段に表示させるので、表示手段によって、第１出力情報及び第２出力情報を容易に区別可能に提示できるため、監視領域にいる人に対して第１出力情報又は第２出力情報を容易且つ確実に伝えることが可能となる。
【０１６８】
付記６に記載の火災報知システムによれば、操作手段を介して火災信号の送信指示が受け付けられた場合に、第１出力情報を警報音出力手段に出力させ、判定手段の判定結果に基づいて、第２出力情報を、第１出力情報とは異なる態様で警報音出力手段に出力させるので、監視領域にいる人に対して、第１出力情報及び第２出力情報を聴覚を通じて区別可能に提示できる。よって、監視領域にいる人が、出力手段を視認することができない位置にいる場合、又は、出力手段を視認することができるものの、出力手段に表示される情報を視認することが難しい場合であっても、第１出力情報又は第２出力情報を迅速に伝えることが可能となる。
【０１６９】
付記７に記載の火災報知システムによれば、出力停止操作手段を介して第２出力情報の出力停止の指示が受け付けられた場合に、出力手段による当該第２出力情報の出力を停止させるので、火災報知システムの管理者等が自動体外式除細動器の点検を行う場合に、第２出力情報が出力手段によって出力されることを回避できるため、自動体外式除細動器が使用されていないにも関わらず、第２出力情報が誤って出力されることを防止できる。
【０１７０】
付記８に記載の火災報知システムによれば、監視領域内に設けられた筐体の内部に、発信機と自動体外式除細動器とを一体に収容したので、発信機及び自動体外式除細動器を１つの装置として集約することができるため、発信機と自動体外式除細動器とを別体に設けた場合に比べて、設置スペース、設置コスト、及び設置作業の手間を低減することが可能となる。また、自動体外式除細動器を従来技術よりも目立つ位置に設置できるので、有事の際の利便性（例えば、自動体外式除細動器を迅速に見つけることができる等）を向上させることが可能となる。
【符号の説明】
【０１７１】
１  火災報知システム
２  第１配線
３  第２配線
４  第３配線
５  第４配線
１０  感知器
２０  複合報知装置
２１  筐体
２２ａ  ベース部
２２ｂ  上部正面パネル部
２２ｃ  下部正面パネル部
２３ａ  第１操作口
２３ｂ  第２操作口
２３ｃ  音響孔
２３ｄ  導光孔
２３ｅ  扉部
２３ｆ  扉窓部
２５  ＡＥＤ筐体
３０  発信機
３１  操作部
３１ａ  非常ボタン
３１ｂ  復旧ボタン
３２  通信部
３３  確認表示灯
３４  制御部
３５  記憶部
４０  ＡＥＤ
４１  ＡＥＤ本体部
４２  操作部
４３  検知部
４４  通信部
４５  無線通信部
４６  電源部
４７  表示部
４８  撮像部
４９  制御部
５０  検知装置
５１  操作部
５１ａ  出力停止ボタン
５２  検知部
５３  通信部
５４  無線通信部
５５  制御部
５５ａ  判定部
５５ｂ  画像処理部
５６  記憶部
６０  表示装置
６１  表示灯
６２  通信部
６３  制御部
７０  音響装置
７１  非常ベル
７２  通信部
７３  制御部
８０  受信機
９０  通報装置
１０１  火災報知システム
４０１  記憶部
【図１】
2016151968.tif 000003
【図２】
2016151968.tif 000004
【図３】
2016151968.tif 000005
【図４】
2016151968.tif 000006
【図５】
2016151968.tif 000007
【図６】
2016151968.tif 000008
【図７】
2016151968.tif 000009
【図８】
2016151968.tif 000010
【図９】
2016151968.tif 000011
【図１０】
2016151968.tif 000012
【図１１】
2016151968.tif 000013
【図１２】
2016151968.tif 000014
【図１３】
2016151968.tif 000015
【図１４】
2016151968.tif 000016